(57)【特許請求の範囲】
【請求項１】
撮影空間において利用者を撮影し、得られた撮影画像に対して利用者に編集入力を行わせ、編集入力後の編集済み画像を所定のシール紙に印刷するとともに、前記編集済み画像を通信ネットワークを介して接続されている携帯端末へ送信する写真シール作成装置であって、
複数の利用者を含む画像を取り込み、複数の前記利用者を複数回撮影する取り込み手段と、
前記取り込み手段により撮影された複数の撮影画像の少なくとも一部に対する前記利用者の編集入力を受け付ける編集処理手段と、
前記複数の撮影画像の少なくとも一部から各前記利用者の画像を抽出し、同じ前記利用者の画像のみを組み合わせた合成画像を複数生成する合成手段と、
編集入力後の前記編集済み画像を前記シール紙に印刷する印刷手段と、
前記編集済み画像を前記携帯端末へ送信する送信手段と
を備え、
前記印刷手段による前記合成画像の前記シール紙への印刷、及び、前記送信手段による前記合成画像の前記携帯端末への送信のうち少なくとも一方を行う
写真シール作成装置。
【請求項２】
前記合成手段により生成された複数の前記合成画像を表示部に表示させるように制御する表示制御手段を
さらに備える請求項１に記載の写真シール作成装置。
【請求項３】
前記合成手段は、前記撮影画像が撮影される毎に、前記撮影画像から各前記利用者の画像を抽出し、抽出した前記利用者の画像をそれぞれ合成することにより複数の前記合成画像を更新し、
前記表示制御手段は、前記合成手段により複数の前記合成画像が更新される毎に、複数の前記合成画像を表示部に表示させるように制御する
請求項２に記載の写真シール作成装置。
【請求項４】
前記編集処理手段は、各前記利用者の名前の入力を受け付け、
前記合成手段は、入力された各前記利用者の名前を示す画像をそれぞれ対応する前記合成画像に合成する
請求項１乃至３のいずれかに記載の写真シール作成装置。
【請求項５】
前記編集処理手段は、合成前の各前記利用者の画像を表示部に表示させ、前記利用者の画像と名前の対応関係の入力を受け付ける
請求項４に記載の写真シール作成装置。
【請求項６】
前記取り込み手段は、複数の前記利用者の全身を含む撮影画像および複数の前記利用者の一部のアップを含む撮影画像を少なくとも撮影する
請求項１乃至５のいずれかに記載の写真シール作成装置。
【請求項７】
前記取り込み手段により取り込まれた取り込み画像から各前記利用者の画像を抽出し、抽出した各前記利用者の画像を含む動画像をリアルタイムに表示部に表示させるように制御するライブビュー表示制御手段を
さらに備える請求項１乃至６のいずれかに記載の写真シール装置。
【請求項８】
前記合成手段は、前記利用者の画像をそれぞれ所定の位置に配置し、所定の合成用画像を合成することにより前記合成画像を生成する
請求項１乃至７のいずれかに記載の写真シール作成装置。
【請求項９】
前記合成手段は、利用者の操作により、前記合成画像における前記利用者の画像のレイアウトを変更することが可能である
請求項８に記載の写真シール作成装置。
【請求項１０】
撮影空間において利用者を撮影し、得られた撮影画像に対して利用者に編集入力を行わせ、編集入力後の編集済み画像を所定のシール紙に印刷するとともに、前記編集済み画像を通信ネットワークを介して接続されている携帯端末へ送信する写真シール作成装置の画像処理方法であって、
複数の利用者を含む画像を取り込み、複数の前記利用者を複数回撮影する取り込みステップと、
撮影された複数の撮影画像の少なくとも一部に対する前記利用者の編集入力を受け付ける編集処理ステップと、
前記複数の撮影画像の少なくとも一部から各前記利用者の画像を抽出し、同じ前記利用者の画像のみを組み合わせた合成画像を複数生成する合成ステップと、
編集入力後の前記編集済み画像を前記シール紙に印刷する印刷ステップと、
前記編集済み画像を前記携帯端末へ送信する送信ステップと、
前記合成画像の前記シール紙への印刷、及び、前記合成画像の前記携帯端末への送信のうち少なくとも一方を行う合成画像出力ステップと
を含む画像処理方法。
【請求項１１】
撮影空間において利用者を撮影し、得られた撮影画像に対して利用者に編集入力を行わせ、編集入力後の編集済み画像を所定のシール紙に印刷するとともに、前記編集済み画像を通信ネットワークを介して接続されている携帯端末へ送信する処理をコンピュータに実行させるためのプログラムであって、
複数の利用者を含む画像を取り込み、複数の前記利用者を複数回撮影する取り込みステップと、
撮影された複数の撮影画像の少なくとも一部に対する前記利用者の編集入力を受け付ける編集処理ステップと、
前記複数の撮影画像の少なくとも一部から各前記利用者の画像を抽出し、同じ前記利用者の画像のみを組み合わせた合成画像を複数生成する合成ステップと、
編集入力後の前記編集済み画像を前記シール紙に印刷する印刷ステップと、
前記編集済み画像を前記携帯端末へ送信する送信ステップと、
前記合成画像の前記シール紙への印刷、及び、前記合成画像の前記携帯端末への送信のうち少なくとも一方を行う合成画像出力ステップと
を含む処理をコンピュータに実行させるためのプログラム。
【発明の詳細な説明】
【技術分野】
【０００１】
本発明は、写真シール作成装置、画像処理方法、並びにプログラムに関し、特に、利用者にとってより満足度の高い画像を提供することができるようにする写真シール作成装置、画像処理方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
近年は、編集作業後、編集済み画像がシール紙に印刷されるまでの待ち時間に行われる事後接客において、シール紙に印刷される撮影画像や編集済み画像をサーバに送信・保存し、利用者が所有する携帯端末からそのサーバにアクセスし、保存された画像を取得することで、利用者は、携帯端末上で、撮影画像や編集済み画像を利用することができるようになっている。例えば、利用者は、取得した画像を、携帯端末からウェブ上で管理されているブログ（Blog：web log）等にアップロードすることで、その画像を不特定多数の人に公開することができる。
【０００５】
また、従来、利用者の全身と顔付近のアップを個別に撮影し、全身画像とアップ画像を個別にシール紙に印刷することが可能な写真シール機が提案されている（例えば、特許文献１参照）。
【０００６】
さらに、利用者の全身を撮影する際に、全身画像から顔付近のアップ画像をトリミング拡大し、全身画像とアップ画像を合成してライブビュー表示するとともに、全身画像とアップ画像を合成した画像をシール紙に印刷することが可能な写真シール機が提案されている（例えば、特許文献２参照）。
【先行技術文献】
【特許文献】
【０００７】
【特許文献１】特開２０１２−３９４１４号公報
【特許文献２】特開２０１０−２５８７７４号公報
【発明の概要】
【発明が解決しようとする課題】
【０００８】
しかしながら、特許文献１に記載の写真シール機では、ライブビュー表示されたとおりに全身画像とアップ画像が撮影され、そのまま個別の画像としてシール紙に印刷されるだけであり、意外性に乏しく、その分満足度が低くなっていた。
【０００９】
また、特許文献２に記載の写真シール機では、アップ画像は全身画像の顔付近を拡大しただけであり、全身画像とアップ画像の表情が同じになるため、その分満足度が低くなっていた。
【００１０】
本発明は、このような状況に鑑みてなされたものであり、利用者にとってより満足度の高い画像を提供することができるようにするものである。
【課題を解決するための手段】
【００１１】
本発明の一側面の写真シール作成装置は、撮影空間において利用者を撮影し、得られた撮影画像に対して利用者に編集入力を行わせ、編集入力後の編集済み画像を所定のシール紙に印刷するとともに、前記編集済み画像を通信ネットワークを介して接続されている携帯端末へ送信する写真シール作成装置であって、複数の利用者を含む画像を取り込み、複数の前記利用者を複数回撮影する取り込み手段と、前記取り込み手段により撮影された複数の撮影画像の少なくとも一部に対する前記利用者の編集入力を受け付ける編集処理手段と、前記複数の撮影画像の少なくとも一部から各前記利用者の画像を抽出し、同じ前記利用者の画像のみを組み合わせた合成画像を複数生成する合成手段と、編集入力後の前記編集済み画像を前記シール紙に印刷する印刷手段と、前記編集済み画像を前記携帯端末へ送信する送信手段とを備え、前記印刷手段による前記合成画像の前記シール紙への印刷、及び、前記送信手段による前記合成画像の前記携帯端末への送信のうち少なくとも一方を行う。
【００１２】
前記合成手段により生成された複数の前記合成画像を表示部に表示させるように制御する表示制御手段をさらに設けることができる。
【００１３】
前記合成手段には、前記撮影画像が撮影される毎に、前記撮影画像から各前記利用者の画像を抽出させ、抽出した前記利用者の画像をそれぞれ合成することにより複数の前記合成画像を更新させ、前記表示制御手段には、前記合成手段により複数の前記合成画像が更新される毎に、複数の前記合成画像を表示部に表示させるように制御させることができる。
【００１４】
前記編集処理手段には、各前記利用者の名前の入力を受け付けさせ、前記合成手段には、入力された各前記利用者の名前を示す画像をそれぞれ対応する前記合成画像に合成させることができる。
【００１５】
前記編集処理手段には、合成前の各前記利用者の画像を表示部に表示させ、前記利用者の画像と名前の対応関係の入力を受け付けさせることができる。
【００１６】
前記取り込み手段には、複数の前記利用者の全身を含む撮影画像および複数の前記利用者の一部のアップを含む撮影画像を少なくとも撮影させることができる。
【００１７】
前記取り込み手段により取り込まれた取り込み画像から各前記利用者の画像を抽出し、抽出した各前記利用者の画像を含む動画像をリアルタイムに表示部に表示させるように制御するライブビュー表示制御手段をさらに設けることができる。
【００１８】
前記合成手段には、前記利用者の画像をそれぞれ所定の位置に配置し、所定の合成用画像を合成することにより前記合成画像を生成させることができる。
【００１９】
前記合成手段には、利用者の操作により、前記合成画像における前記利用者の画像のレイアウトを変更することが可能とすることができる。
【００２０】
本発明の一側面の画像処理方法は、撮影空間において利用者を撮影し、得られた撮影画像に対して利用者に編集入力を行わせ、編集入力後の編集済み画像を所定のシール紙に印刷するとともに、前記編集済み画像を通信ネットワークを介して接続されている携帯端末へ送信する写真シール作成装置の画像処理方法であって、複数の利用者を含む画像を取り込み、複数の前記利用者を複数回撮影する取り込みステップと、撮影された複数の撮影画像の少なくとも一部に対する前記利用者の編集入力を受け付ける編集処理ステップと、前記複数の撮影画像の少なくとも一部から各前記利用者の画像を抽出し、同じ前記利用者の画像のみを組み合わせた合成画像を複数生成する合成ステップと、編集入力後の前記編集済み画像を前記シール紙に印刷する印刷ステップと、前記編集済み画像を前記携帯端末へ送信する送信ステップと、前記合成画像の前記シール紙への印刷、及び、前記合成画像の前記携帯端末への送信のうち少なくとも一方を行う合成画像出力ステップとを含む。
【００２１】
本発明の一側面のプログラムは、撮影空間において利用者を撮影し、得られた撮影画像に対して利用者に編集入力を行わせ、編集入力後の編集済み画像を所定のシール紙に印刷するとともに、前記編集済み画像を通信ネットワークを介して接続されている携帯端末へ送信する処理をコンピュータに実行させるためのプログラムであって、複数の利用者を含む画像を取り込み、複数の前記利用者を複数回撮影する取り込みステップと、撮影された複数の撮影画像の少なくとも一部に対する前記利用者の編集入力を受け付ける編集処理ステップと、前記複数の撮影画像の少なくとも一部から各前記利用者の画像を抽出し、同じ前記利用者の画像のみを組み合わせた合成画像を複数生成する合成ステップと、編集入力後の前記編集済み画像を前記シール紙に印刷する印刷ステップと、前記編集済み画像を前記携帯端末へ送信する送信ステップと、前記合成画像の前記シール紙への印刷、及び、前記合成画像の前記携帯端末への送信のうち少なくとも一方を行う合成画像出力ステップとを含む処理をコンピュータに実行させる。
【００２２】
本発明の一側面においては、複数の利用者を含む画像が取り込まれ、複数の前記利用者が複数回撮影され、撮影された複数の撮影画像の少なくとも一部に対する前記利用者の編集入力が受け付けられ、前記複数の撮影画像の少なくとも一部から各前記利用者の画像が抽出され、同じ前記利用者の画像のみを組み合わせた合成画像が複数生成され、編集入力後の前記編集済み画像が前記シール紙に印刷され、前記編集済み画像が前記携帯端末へ送信され、前記合成画像の前記シール紙への印刷、及び、前記合成画像の前記携帯端末への送信のうち少なくとも一方が行われる。
【発明の効果】
【００２３】
本発明の一側面によれば、利用者にとってより満足度の高い画像を提供することが可能となる。例えば、本発明の一側面によれば、利用者毎に撮影時とは異なる組合せの画像を提供することができ、その結果、利用者に驚きと面白みを与えることができ、利用者の満足度が向上する。
【図面の簡単な説明】
【００２４】
【図１】写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】撮影・表示ユニットの詳細な構成例を示す図である。
【図６】カメラの詳細な構成例を示す図である。
【図７】カメラ支持部の構成例を示す図である。
【図８】背景部の構成例を示す図である。
【図９】背景部の床の外観の構成例を示す図である。
【図１０】床の傾斜により得られる効果について説明する図である。
【図１１】背景部のクロマキー用シートについて説明する図である。
【図１２】編集部の構成例を示す図である。
【図１３】事後接客部の構成例を示す図である。
【図１４】写真シール作成装置の内部の構成例を示すブロック図である。
【図１５】制御部の詳細な構成例を示す機能ブロック図である。
【図１６】撮影処理部の詳細な構成例を示す機能ブロック図である。
【図１７】編集処理部の詳細な構成例を示す機能ブロック図である。
【図１８】写真シール作成ゲームを提供する処理について説明するフローチャートである。
【図１９】撮影処理について説明するフローチャートである。
【図２０】撮影処理について説明するフローチャートである。
【図２１】下カメラアップ撮影時のライブビュー表示画面の例を示す図である。
【図２２】上カメラアップ撮影時のライブビュー表示画面の例を示す図である。
【図２３】上カメラ全身撮影のガイダンス画面の例を示す図である。
【図２４】上カメラ全身撮影時のライブビュー表示画面の例を示す図である。
【図２５】上カメラ全身撮影処理について説明するフローチャートである。
【図２６】ライブビュー画像の例を示す図である。
【図２７】色範囲の検出について説明する図である。
【図２８】コーナー画像の例を示す図である。
【図２９】上カメラ全身撮影画像の例を示す図である。
【図３０】上カメラ全身撮影処理について説明するフローチャートである。
【図３１】色範囲の検出について説明する図である。
【図３２】コーナーポイント調整処理について説明するフローチャートである。
【図３３】コーナーポイント調整画面の例を示す図である。
【図３４】コーナーポイント調整画面の例を示す図である。
【図３５】撮影空間におけるカメラと被写体との距離について説明する図である。
【図３６】クロス組合せ撮影処理について説明するフローチャートである。
【図３７】クロス組合せ撮影で上カメラ全身撮影を行うときのライブビュー表示画面の例を示す図である。
【図３８】取り込み画像の非撮影領域について説明する図である。
【図３９】取り込み画像のトリミングについて説明する図である。
【図４０】クロス組合せ撮影で上カメラアップ撮影を行うときのライブビュー表示画面の例を示す図である。
【図４１】クロス組合せ画像の確認画面の例を示す図である。
【図４２】クロス組合せ撮影処理の他の例について説明するフローチャートである。
【図４３】クロス組合せ画像の途中経過の確認画面の例を示す図である。
【図４４】編集処理について説明するフローチャートである。
【図４５】目のサイズおよび明るさを選択する選択画面の例を示す図である。
【図４６】自分の画像を選択する選択画面の例を示す図である。
【図４７】名前入力画面の例を示す図である。
【図４８】名前入力画面の他の例を示す図である。
【図４９】背景色の選択画面の例を示す図である。
【図５０】合成用画像の選択画面の例を示す図である。
【図５１】編集画面の例を示す図である。
【図５２】分割パターンの例を示す図である。
【図５３】分割パターンの他の例を示す図である。
【図５４】合成画像の生成方法の他の例を説明するための図である。
【図５５】合成画像の生成方法の他の例を説明するための図である。
【発明を実施するための形態】
【００２５】
以下、本発明を適用した具体的な実施の形態について、図面を参照しながら詳細に説明する。
【００２６】
［写真シール作成装置の外観構成］
図１は、本発明の一実施形態に係る写真シール作成装置１の外観の構成例を示す斜視図である。
【００２７】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２８】
写真シール作成装置１が提供するゲームで遊ぶ利用者は、代金を投入し、自身が被写体となって撮影を行い、撮影によって得られた撮影画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２９】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３０】
撮影ユニット１１は、撮影部２１と背景部２２から構成される。撮影部２１と背景部２２は所定の距離だけ離れて設置され、撮影部２１と背景部２２の間に形成される空間である撮影空間において撮影作業が行われる。
【００３１】
撮影部２１は撮影作業を利用者に行わせる装置である。撮影部２１は、撮影空間に入り、撮影作業を行っている利用者の正面に位置する。撮影空間を正面に臨む面を構成する撮影部２１の正面パネル４１には、撮影作業時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂ（図示せず）により構成される。
【００３２】
背景部２２は、正面を向いて撮影作業を行っている利用者の背面側に位置する板状の部材である背面パネル５１、背面パネル５１の左端に取り付けられ、側面パネル４２Ａとほぼ同じ幅の板状の部材である側面パネル５２Ａ、および、背面パネル５１の右端に取り付けられ、側面パネル４２Ｂとほぼ同じ幅の板状の部材である側面パネル５２Ｂ（図２）から構成される。
【００３３】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３４】
撮影部２１の側面パネル４２Ａ、連結部２３Ａ、および背景部２２の側面パネル５２Ａに囲まれることによって形成される開口が撮影空間の出入り口Ｇ１となる。なお、図示はしないが、撮影部２１の側面パネル４２Ｂ、連結部２３Ｂ、および背景部２２の側面パネル５２Ｂに囲まれることによって形成される開口も撮影空間の出入り口Ｇ２となる。
【００３５】
撮影空間の上方には、撮影部２１の正面パネル４１、連結部２３Ａ、連結部２３Ｂ、および背景部２２の背面パネル５１に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３６】
なお、撮影空間にいる利用者の正面−背面方向を奥行き方向とすると、撮影ユニット１１の寸法（奥行き、幅、および高さ）は、例えば、1850mm×1800mm×2225mmとされる。
【００３７】
編集部１２は、撮影作業によって得られた画像を編集する編集作業を利用者に行わせる装置である。編集部１２は、一方の側面が撮影部２１の正面パネル４１の背面に接するように撮影ユニット１１に連結して設けられる。編集部１２には、編集作業時に利用者により用いられるタブレット内蔵モニタなどの構成が設けられる。
【００３８】
図１に示す編集部１２の構成を正面側の構成とすると、２組の利用者が同時に編集作業を行うことができるように、編集部１２の正面側と背面側には編集作業に用いられる構成がそれぞれ設けられる。
【００３９】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の左側には、柱状の形状を有し、照明装置７４の一端を支持する支持部７３Ａが設けられる。斜面７２の右側にも、照明装置７４の他端を支持する支持部７３Ｂ（図２）が設けられる。さらに、支持部７３Ａの左側には、板状の形状を有し、事後接客部１３が連結して設けられる支持部７３Ｃが設けられる。また、支持部７３Ｃの上面にはカーテンレール２６を支持する支持部７５が設けられる。
【００４０】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４１】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集作業を行う編集空間となる。
【００４２】
図２は、写真シール作成装置１を別の角度から見た斜視図である。
【００４３】
事後接客部１３は利用者に対して事後接客を行う装置である。事後接客では、撮影画像や編集済みの画像が携帯電話機などの携帯端末に送信される。
【００４４】
図２に示すように、事後接客部１３は、所定の厚さを有する板状の筐体を有しており、その背面が編集部１２の左側面に接するように編集部１２に連結して設けられる。事後接客部１３の正面には、事後接客時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者に対して事後接客を行う事後接客空間となる。
【００４５】
ここで、写真シール作成ゲームの流れと、それに伴う利用者の移動について図３を参照して説明する。図３は、写真シール作成装置１を上から見た平面図である。
【００４６】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影作業を行う。
【００４７】
撮影作業を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４８】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集作業を開始する。編集空間Ａ２−１の利用者と、編集空間Ａ２−２の利用者は同時に編集作業を行うことができる。
【００４９】
編集作業が終了した後、撮影画像や編集済みの画像の印刷が開始される。画像の印刷中、編集作業を終えた利用者は、編集空間Ａ２−１で編集作業を行っていた場合には白抜き矢印＃５で示すように編集空間Ａ２−１から事後接客空間Ａ３に移動して事後接客を受ける。また、編集作業を終えた利用者は、編集空間Ａ２−２で編集作業を行っていた場合には白抜き矢印＃６で示すように編集空間Ａ２−２から事後接客空間Ａ３に移動し、事後接客空間Ａ３において事後接客を受ける。
【００５０】
画像の印刷が終了したとき、利用者は、事後接客部１３に設けられた排出口からシール紙を受け取り、一連の写真シール作成ゲームを終えることになる。
【００５１】
次に、各装置の構成について説明する。
【００５２】
［撮影部の構成］
図４は、撮影部２１の構成例を示す図である。撮影部２１は、正面パネル４１、側面パネル４２Ａ、および側面パネル４２Ｂが、箱状の形状を有するベース部４３に取り付けられることによって構成される。
【００５３】
正面パネル４１は撮影空間Ａ１で撮影作業を行う利用者の正面に位置し、側面パネル４２Ａと側面パネル４２Ｂは、それぞれ、撮影空間Ａ１で撮影作業を行う利用者の左側、右側に位置する。側面パネル４２Ａの上方には連結部２３Ａが固定され、側面パネル４２Ｂの上方には連結部２３Ｂが固定される。
【００５４】
正面パネル４１のほぼ中央には撮影・表示ユニット８１が設けられる。撮影・表示ユニット８１は、カメラ９１、カメラストロボ９２、およびタッチパネルモニタ９３から構成される。
【００５５】
カメラ９１は、CCD(Charge Coupled Device)などの撮像素子を有する撮像装置を含むように構成され、撮影空間Ａ１にいる利用者を撮影する。カメラ９１により取り込まれた動画像（ライブビュー画像）は、タッチパネルモニタ９３にリアルタイムで表示される。利用者により撮影が指示されたときなどの所定のタイミングでカメラ９１により取り込まれた画像は撮影画像（静止画像）として保存される。なお、カメラ９１により取り込まれた画像、すなわち、ライブビュー画像および撮影画像を併せて、以下、取り込み画像ともいう。
【００５６】
カメラ９１の背面側には、カメラストロボ９２が設けられ、カメラ９１は、カメラストロボ９２の表面側で上下方向に駆動（移動）するようになされている。カメラストロボ９２は、発光面を構成するアクリル板と、その背後に設けられる蛍光灯等の照明装置とから構成され、他のストロボと同様にカメラ９１による撮影に合わせて発光する。カメラストロボ９２においては、カメラ９１の上下方向の位置に応じて露出する部分が発光面となる。つまり、カメラストロボ９２は、カメラ９１の上下方向の位置に応じて、被写体としての利用者の顔付近をカメラ９１の上方または下方から照射する。
【００５７】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５８】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５９】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００６０】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影作業の内容に応じて適宜調整される。
【００６１】
また、足元ストロボ８６の右側には、利用者がお金を投入する硬貨投入返却口８７が設けられる。
【００６２】
さらに、下ストロボ８５の上側であって、タッチパネルモニタ９３の左側には、利用者を左下前方から照射するモニタ左ストロボ８８が設けられ、タッチパネルモニタ９３の右側には、利用者を右下前方から照射するモニタ右ストロボ８９が設けられる。
【００６３】
なお、各ストロボ内部には、蛍光灯以外の照明装置が設けられてもよい。
【００６４】
下ストロボ８５を挟んでベース部４３の上面の左右に形成されるスペース４３Ａおよび４３Ｂは、撮影作業を行う利用者が手荷物等を置くための荷物置き場として用いられる。
また、正面パネル４１の例えば天井付近には、利用者に撮影作業を行わせる撮影処理の案内音声、BGM(Back Ground Music)、効果音等の音を出力するスピーカも設けられる。
【００６５】
ここで、カメラ９１の上下方向の駆動について説明する。
【００６６】
撮影処理においては、カメラ９１の上下方向の位置が、被写体としての利用者を、利用者から見て前方正面から撮影する位置と、利用者から見て前方斜め上から撮影する位置とになるように、カメラ９１を上下方向に駆動させて撮影が行われる。
【００６７】
以下、適宜、利用者を前方正面から撮影する位置にあるカメラ９１を下カメラといい、利用者を前方斜め上から撮影する位置にあるカメラ９１を上カメラという。
【００６８】
［撮影・表示ユニットの構成例］
図５は、上下方向に駆動するカメラ９１を含む撮影・表示ユニット８１の詳細な構成例を示している。
【００６９】
図５Ａに示されるように、撮影・表示ユニット８１は、縦長の直方体の形状を有する筐体の一側面に、カメラ９１、カメラストロボ９２、およびタッチパネルモニタ９３が設けられることで構成される。カメラ９１およびカメラストロボ９２の周囲には、それらを囲うような額縁状のカバー９４が設けられており、カメラ９１は、カバー９４の開口部の範囲内で上下方向に駆動する。
【００７０】
図５Ｂは、図５Ａの状態から、タッチパネルモニタ９３およびカバー９４を取り外した撮影・表示ユニット８１を示している。図５Ｂに示されるように、カメラ９１は、カメラストロボ９２の発光面を構成するアクリル板９５と一体に構成されており、アクリル板９５は、カメラ９１とともに上下方向に駆動する。また、カメラ９１は、カメラ支持部９６によってその側面が支持されており、カメラ支持部９６に設けられたガイド溝に従って上下方向に駆動する。
【００７１】
図５Ｃは、図５Ｂの状態から、アクリル板９５を取り外した撮影・表示ユニット８１を示している。図５Ｃに示されるように、カメラ９１の背面上方には、カメラ上蛍光灯９７Ｕが設けられ、カメラ９１の背面下方には、カメラ下蛍光灯９７Ｄが設けられている。カメラ９１は、カメラストロボ９２を構成する照明装置としてのカメラ上蛍光灯９７Ｕおよびカメラ下蛍光灯９７Ｄと一体に構成されており、カメラ上蛍光灯９７Ｕおよびカメラ下蛍光灯９７Ｄは、カメラ９１とともに上下方向に駆動する。
【００７２】
つまり、図５Ａに示されるように、カメラ９１がカバー９４の開口部の下端に位置し、下カメラの状態となるとき、カメラ９１の上側のアクリル板９５が露出し、カメラ上蛍光灯９７Ｕが発光することで、カメラストロボ９２は、被写体としての利用者の顔付近をカメラ９１の上方から照射する。
【００７３】
また、図示はしないが、カメラ９１がカバー９４の開口部の上端に位置し、上カメラの状態となるとき、カメラ９１の下側のアクリル板９５が露出し、カメラ下蛍光灯９７Ｄが発光することで、カメラストロボ９２は、被写体としての利用者の顔付近をカメラ９１の下方から照射する。
【００７４】
［カメラの構成例］
図６は、カメラ９１の詳細な構成例を示している。
【００７５】
カメラ９１は、撮像装置であるカメラ本体９１Ｍがケース９１Ｃに搭載されて構成される。カメラ９１には、所定の駆動機構により、カメラ本体９１Ｍのレンズの光軸に平行な軸を中心に回転する回転部９１Ｒが設けられている。また、カメラ本体９１Ｍの焦点距離を調整するズームリング９１Ｆの円周面に設けられたギアと、回転部９１Ｒの一端に設けられたギア（図示せず）とは、内側にリブが設けられたタイミングベルト９１Ｂにより連結されている。
【００７６】
すなわち、回転部９１Ｒが回転することにより、タイミングベルト９１Ｂを介してズームリング９１Ｆが回転し、カメラ本体９１Ｍの焦点距離が調整されるようになされている。これにより、例えば、カメラ９１が下カメラの状態において、ズームインするように焦点距離を調整し、カメラ９１が上カメラの状態において、ズームアウトするように焦点距離を調整することができる。
【００７７】
また、ケース９１Ｃの側面には、突起物P1，P2が設けられている。カメラ９１は、突起物P1，P2がそれぞれ、図７に示されるようなカメラ支持部９６に設けられたガイド溝g1，g2に沿ってガイドされることで上下方向に駆動する。ガイド溝g1，g2は、カメラ支持部９６を貫通するように形成されてもよいし、貫通しないように形成されてもよい。また、図７に示されるように、ガイド溝g2は、ガイド溝g1の上端に対応する位置より上では、ガイド溝g1の上端を中心に孤を描くように形成されている。これにより、突起物P1，P2がそれぞれ、ガイド溝g1の上端、および、ガイド溝g2のガイド溝g1の上端に対応する位置に達した後、カメラ９１は、ガイド溝g1の上端を中心に、図中左方向に所定角度だけ回転し、撮影空間の下方向を撮影するようになる。
【００７８】
このような構造により、カメラ９１が下カメラの状態のときには、利用者は前方正面から撮影され、カメラ９１が上カメラの状態のときには、利用者は前方斜め上から撮影されるようになる。
【００７９】
［背景部の構成］
図８は、背景部２２の撮影空間Ａ１側の構成例を示す図である。図８Ａは、背景部２２の構成例を示す正面図であり、図８Ｂは、背景部２２の構成例を示す斜視図である。
【００８０】
背面パネル５１の上方のほぼ中央には、撮影空間Ａ１内で撮影作業を行っている利用者を後方中央から照射する背面中央ストロボ１０１が取り付けられる。
【００８１】
背面パネル５１の上方であって、出入り口Ｇ１側の位置には、撮影空間Ａ１内で撮影作業を行っている利用者を左後方から照射する背面左ストロボ１０２が取り付けられる。また、背面パネル５１の上方であって、出入り口Ｇ２側の位置には、撮影空間Ａ１内で撮影作業を行っている利用者を右後方から照射する背面右ストロボ１０３が取り付けられる。
【００８２】
また、背面パネル５１の下側で、撮影空間Ａ１において側面パネル５２Ａおよび側面パネル５２Ｂに挟まれる部分には、床１０４が設けられている。床１０４は、図９に示されるように、背面パネル５１側に近いほど高くなるように、写真シール作成装置１が設置される設置面に対して、例えば７°等の傾斜が設けられている。
【００８３】
なお、撮影空間にいる利用者の正面−背面方向を奥行き方向とすると、床１０４の寸法（奥行き、幅、および背面パネル５１側の高さ）は、例えば、550mm×1710mm×80mmとされる。
【００８４】
［床の傾斜により得られる効果］
ここで、図１０を参照して、床１０４に傾斜を設けることによって得られる効果について説明する。
【００８５】
図１０には、撮影空間Ａ１において、上カメラの状態のカメラ９１によって撮影される被写体（利用者）１１１が示されている。被写体の全身を撮影しようとする場合、上カメラによる撮影によれば、下カメラによる撮影と比較して、顔が大きく写るので、顔が強調された撮影画像を得ることができる。また、下カメラにより得られる全身画像より、上カメラにより得られる全身画像の方が、画像における被写体の割合を高めることができる。
このように、上カメラによる撮影は、被写体の全身画像を得るのに好適とされている。
【００８６】
例えば、一般的な写真シール作成装置の撮影空間において、図１０Ａに示されるように、被写体１１１がカメラ９１に顔を近づけるように前傾姿勢をとった場合には、顔がより強調された撮影画像を得ることができる。
【００８７】
さらに、本発明の写真シール作成装置１のように傾斜を設けた床１０４を備えることで、図１０Ｂに示されるように、被写体１１１のかかと部分がヒールのある靴を履いているときと同じ状態となり、カメラ９１の撮像面に対する足の甲の長さが、図１０Ａの場合より長くなるので、より足が長く見える撮影画像を得ることができる。
【００８８】
特に、ヒールのある靴を履いた場合の地面と足の裏のなす角度が７°のときに最も足が長く見えるものとすると、床１０４の傾斜を７°とすることで、例えば学校指定のヒールの低い靴を履いている女子中高生であっても、ヒールのある靴を履いたときと同様に、より足が長く見える撮影画像を得ることができる。
【００８９】
また、図１０Ａに示されるように、被写体１１１が前傾姿勢をとってカメラ９１を見た場合、顎の下から首にかけての部分１１１ｎがストロボによって照射されてしまうので、撮影画像においては、顔の輪郭がわかりにくく、必要以上に顔が大きく見えてしまう恐れがある。
【００９０】
一方、図１０Ｂのように床１０４を備えることで、被写体１１１は、図１０Ａのように前傾姿勢にならず、顎を出さない姿勢で撮影することができるので、顎の下から首にかけての部分１１１ｎに影ができ、撮影画像においては、顔の輪郭が強調されて、必要以上に顔が大きく見えることを避けることができる。
【００９１】
さらに、図１０Ａにおいて、被写体１１１が前傾姿勢をとらずにカメラ９１を見た場合、撮影画像においては、上目遣いをした顔となってしまう。一方、図１０Ｂのように床１０４を備えることで、被写体１１１の視線が高くなるので、被写体１１１は、カメラ９１を自然に見ることができ、撮影画像においては、上目遣いをした顔となることを避けることができる。
【００９２】
［クロマキー用シートについて］
また、本実施の形態においては、背景部２２の撮影空間Ａ１側に、背景に利用する巻き取り式の背景カーテンや、クロマキー用のカーテンとして使用する昇降式カーテンを設けず、背景部２２を構成する背面パネル５１、側面パネル５２Ａ，５２Ｂ、および床１０４の表面にクロマキー用のシートが貼付される。
【００９３】
図１１は、背景部２２の撮影空間Ａ１側に貼付されるクロマキー用シートについて説明する図である。
【００９４】
図１１に示されるように、背面パネル５１にはクロマキー用シート１２１Ａが貼付され、側面パネル５２Ｂの下部にはクロマキー用シート１２１Ｂが貼付され、床１０４の斜面部分にはクロマキー用シート１２１Ｃが貼付される。クロマキー用シート１２１Ａ乃至１２１Ｃは、緑色のクロマキー用シートであり、これにより、いわゆるグリーンバック合成が行われる。なお、図示はしないが、側面パネル５２Ａの下部にもクロマキー用シート１２１Ｂと同様のクロマキー用シート１２１Ｃ’が貼付される。なお、図１１に示されるように、クロマキー用シート１２１Ｂは、側面パネル５２Ｂの下部のみに貼付されるものとしたが、側面パネル５２Ｂにおいてクロマキー用シート１２１Ｂが貼付される部分は、カメラ９１の画角に入る部分より広ければよく、例えば側面パネル５２Ｂの全面であってもよい。また、側面パネル５２Ａに貼付されるクロマキー用シート１２１Ｃ’についても同様である。
【００９５】
クロマキー用シート１２１Ａ，１２１Ｂ，１２１Ｃはそれぞれ、同一の材質で構成されるようにしてもよいし、異なる材質で構成されるようにしてもよい。具体的には、例えば、撮影空間Ａ１の背面となるクロマキー用シート１２１Ａを布製とし、側面となるクロマキー用シート１２１Ｂを樹脂製または布製とし、クロマキー用シート１２１Ｃをゴム等の樹脂製としてもよい。
【００９６】
［編集部の構成］
図１２は、編集部１２の正面側（編集空間Ａ２−１側）の構成例を示す図である。
【００９７】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００９８】
タブレット内蔵モニタ１３１は、タッチペン１３２Ａまたは１３２Ｂを用いて操作入力が可能なタブレットがLCDなどの編集用モニタに重畳して設けられることによって構成される。タブレット内蔵モニタ１３１には、例えば、撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００９９】
編集部１２の左側には事後接客部１３が設けられる。
【０１００】
［事後接客部の構成］
図１３は、事後接客部１３の正面側の構成例を示す図である。
【０１０１】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどの事後接客用モニタに重畳して設けられることによって構成される。タブレット内蔵モニタ１６１には、撮影画像や編集済みの画像を携帯電話機などの携帯端末に送信する事後接客処理に用いられる画面が表示される。
【０１０２】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【０１０３】
非接触型ICリーダ／ライタ１６３は、近接された非接触型ICと通信を行い、非接触型ICからのデータの読み出しや非接触型ICに対するデータの書き込みを行う。
【０１０４】
シール紙排出口１６４には、編集空間Ａ２−１の利用者が編集作業を行うことによって作成した画像が印刷されたシール紙、または、編集空間Ａ２−２の利用者が編集作業を行うことによって作成した画像が印刷されたシール紙が排出される。編集部１２の内部にはプリンタが設けられており、画像の印刷がそのプリンタにより行われる。
【０１０５】
スピーカ１６５は、事後接客処理の案内音声、BGM、効果音等の音を出力する。
【０１０６】
［写真シール作成装置の内部構成］
次に、写真シール作成装置１の内部構成について説明する。図１４は、写真シール作成装置１の内部の構成例を示すブロック図である。上述した構成と同じ構成には同じ符号を付してある。なお、重複する説明については適宜省略する。
【０１０７】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【０１０８】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【０１０９】
通信部２０３はインターネットなどのネットワークのインタフェースであり、制御部２０１による制御に従って外部の装置と通信を行う。
【０１１０】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１１１】
ROM２０６には、制御部２０１において実行されるプログラムやデータが記憶されている。RAM２０７は、制御部２０１が処理するデータやプログラムを一時的に記憶する。
【０１１２】
撮影部２０８は、撮影空間Ａ１における撮影処理を行う構成である硬貨処理部２２１、照明装置２２２、カメラ９１、タッチパネルモニタ９３、およびスピーカ２２３から構成される。
【０１１３】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１１４】
照明装置２２２は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６、モニタ左ストロボ８８、モニタ右ストロボ８９と、背景部２２に設けられる背面中央ストロボ１０１、背面左ストロボ１０２，背面右ストロボ１０３が設けられている。
【０１１５】
また、照明装置２２２は、制御部２０１による制御に従って発光量を調整することによって、利用者が行っている撮影作業の段階に応じて撮影空間Ａ１内の明るさを調整する。
【０１１６】
カメラ９１は、制御部２０１による制御に従って撮影を行い、撮影によって得られた画像を制御部２０１に出力する。
【０１１７】
スピーカ２２３は、利用者に撮影作業を行わせる撮影処理の案内音声、BGM、効果音等の音を出力する。
【０１１８】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【０１１９】
タブレット内蔵モニタ１３１は、制御部２０１による制御に従って、内蔵する編集用モニタに編集画面を表示し、編集画面（内蔵するタブレット）に対する利用者の操作を検出する。利用者の操作の内容を表す信号は制御部２０１に供給され、編集対象の撮影画像の編集が行われる。
【０１２０】
スピーカ２３１は、利用者に編集作業を行わせる編集処理の案内音声、BGM、効果音等の音を出力する。
【０１２１】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、スピーカ１６５、印刷処理を行う構成であるプリンタ２４１、およびシール紙ユニット２４２から構成される。
【０１２２】
タブレット内蔵モニタ１６１は、制御部２０１による制御に従って、内蔵する事後接客用モニタに事後接客に用いられる画面を表示し、その画面（内蔵するタブレット）に対する利用者の操作を検出する。利用者の操作の内容を表す信号は制御部２０１に供給され、事後接客が行われる。
【０１２３】
プリンタ２４１は、撮影画像、または編集処理によって得られた編集済みの画像を、プリンタ２４１に装着されたシール紙ユニット２４２に収納されているシール紙に印刷し、シール紙排出口１６４に排出する。
【０１２４】
［制御部の構成］
次に、制御部２０１について説明する。図１５は、制御部２０１がROM２０６などに格納されているプログラムを実行することにより実現される機能ブロックの構成例を示している。
【０１２５】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【０１２６】
つまり、制御部２０１は、写真シール作成ゲームの各工程に関する処理の制御を行う。
【０１２７】
［撮影処理部の構成］
図１６は、図１５の撮影処理部３０１のさらに詳細な構成例を示す機能ブロック図である。
【０１２８】
図１６の例において、撮影処理部３０１は、進行制御部３１１、撮影パラメータ設定部３１２、ライブビュー表示制御部３１３、撮影画像取得部３１４、照明制御部３１５、カメラ駆動制御部３１６、クロマキー処理部３１７、コーナーポイント検知部３１８、コーナー画像生成部３１９、合成処理部３２０、および顔認識部３２１から構成される。
【０１２９】
進行制御部３１１は、撮影作業の工程の進行を制御する。
【０１３０】
撮影パラメータ設定部３１２は、写りや明るさ、目のサイズ等の撮影に関するパラメータの設定に関する処理を行う。
【０１３１】
ライブビュー表示制御部３１３は、タッチパネルモニタ９３の表示（ライブビュー表示）に関する処理を行う。
【０１３２】
撮影画像取得部３１４は、撮影、特に、撮影画像の取得に関する処理を行う。
【０１３３】
照明制御部３１５は、撮影空間内に設けられる照明装置の発光に関する処理を行う。
【０１３４】
カメラ駆動制御部３１６は、カメラ９１の駆動に関する処理を行う。
【０１３５】
クロマキー処理部３１７は、カメラ９１により取り込まれた取り込み画像の背景領域の色に基づいて、背景領域を抜き出すクロマキー処理を行う。
【０１３６】
コーナーポイント検知部３１８は、カメラ９１により取り込まれた取り込み画像の背景領域としての、撮影空間の背面、側面、および床面の３面が交わる交点であるコーナーポイントを検知する。
【０１３７】
コーナー画像生成部３１９は、撮影空間の背面、側面、および床面のうちの２面が交わる交線を模した線分であるコーナーラインを含む背景画像（以下、コーナー画像という）を生成する。
【０１３８】
合成処理部３２０は、クロマキー処理部３１７により背景領域が抜き出された取り込み画像に、コーナー画像生成部３１９により生成されたコーナー画像を合成する。また、合成処理部３２０は、複数の撮影画像から各利用者の画像を抽出し、同じ利用者の画像のみを組み合わせた合成画像を生成する処理を行う。
【０１３９】
顔認識部３２１は、撮影画像に写っている利用者の顔の認識処理を行う。例えば、顔認識部３２１は、撮影画像に写っている顔に基づいて個人の特定を行ったり、撮影画像内の人の数を検出したりする。
【０１４０】
［編集処理部の構成］
図１７は、図１５の編集処理部３０２のさらに詳細な構成例を示す機能ブロック図である。
【０１４１】
図１７の例において、編集処理部３０２は、進行制御部３５１、編集準備処理部３５２、入力受付制御部３５３、編集画面表示制御部３５４、および落書き編集処理部３５５から構成される。
【０１４２】
進行制御部３５１は、編集作業の工程の進行を制御する。
【０１４３】
編集準備処理部３５２は、編集の準備に関する処理を行う。
【０１４４】
入力受付制御部３５３は、タブレット内蔵モニタ１３１を制御し、タブレット内蔵モニタ１３１に表示される各種のGUIに対して利用者により行われる操作入力を受け付ける処理を行う。
【０１４５】
編集画面表示制御部３５４は、タブレット内蔵モニタ１３１に表示される編集画面の表示や、その編集画面上における各種のGUIの表示に関する処理を行う。
【０１４６】
落書き編集処理部３５５は、利用者によるタッチペン１３２を用いた入力操作に応じて、撮影画像に対する落書き等の編集に関する処理を行う。
【０１４７】
［写真シール作成装置の動作］
次に、図１８のフローチャートを参照して、写真シール作成ゲームを提供する写真シール作成装置１の処理について説明する。
【０１４８】
ステップＳ１において、写真シール作成装置１の制御部２０１の撮影処理部３０１は、所定の金額分の硬貨が投入されたか否かを硬貨処理部２２１から供給される信号に基づいて判定し、投入されたと判定するまで待機する。
【０１４９】
硬貨が投入されたとステップＳ１において判定した場合、ステップＳ２において、撮影処理部３０１は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。なお、撮影処理については、図１９および図２０のフローチャートを参照して後述する。
【０１５０】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２３から出力させることによって行われる。
【０１５１】
ステップＳ４において、編集処理部３０２は、編集空間Ａ２−１と編集空間Ａ２−２のうち、撮影処理を終えた利用者の移動先とした方の編集空間（以下、移動先編集空間と称する）に対応する編集部２０９を制御し、編集処理を行う。具体的には、編集処理部３０２は、撮影画像に合成する合成用画像を利用者に選択させ、選択された合成用画像を撮影画像に合成させ、得られた合成画像に対して、利用者による編集操作に従って編集を行う。なお、編集処理については、図４４のフローチャートを参照して後述する。
【０１５２】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１５３】
ステップＳ６において、印刷処理部３０３は、編集処理により得られた編集済み画像をプリンタ２４１に出力してシール紙に印刷させる印刷処理を行う。
【０１５４】
ステップＳ７において、事後接客処理部３０４は、事後接客部２１０を制御し、印刷終了待機中の利用者に対する事後接客処理を行う。具体的には、事後接客処理部３０４は、撮影画像や編集済みの画像を携帯端末に送信する携帯送信ゲーム処理を事後接客処理として行い、携帯端末の電子メールアドレスを直接入力することで画像を携帯端末に送信するか、非接触型ICと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１５５】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６４に排出し、処理を終了させる。
【０１５６】
［撮影処理の例］
次に、図１９および図２０のフローチャートを参照して、上述した写真シール作成ゲームの一連の処理におけるステップＳ２の撮影処理の流れの例を説明する。
【０１５７】
ステップＳ３１において、撮影パラメータ設定部３１２は、写り選択画面をタッチパネルモニタ９３に表示させ、利用者による写り選択を受け付ける。写り選択は、色合いやシャープネス等の、画像の画質の選択である。撮影パラメータ設定部３１２は、利用者により選択された写りに応じて、カメラ９１により撮影された画像の画質を調整する。
【０１５８】
ステップＳ３２において、進行制御部３１１は、撮影方法のガイダンス画面をタッチパネルモニタ９３に表示させる。具体的には、利用者の顔または上半身を前方正面から撮影する下カメラアップ撮影を行う旨のガイダンス画面を表示する。すなわち、このとき、カメラ９１は、下カメラの状態とされる。ガイダンス画面を表示した後、撮影画像取得部３１４は、カメラ９１を制御し、画像の取り込みを開始させる。
【０１５９】
ステップＳ３３において、ライブビュー表示制御部３１３は、カメラ９１により取り込まれた動画像（ライブビュー画像）をタッチパネルモニタ９３に表示させる（ライブビュー表示を行う）。
【０１６０】
ステップＳ３４において、撮影画像取得部３１４は、タッチパネルモニタ９３にカウントダウンインジケータを表示し、撮影タイミングを利用者に通知する。
【０１６１】
撮影タイミングになったとき、ステップＳ３５において、撮影画像取得部３１４は、カメラ９１を制御して下カメラアップ撮影を行い、静止画像である撮影画像（下カメラアップ撮影画像）を取得する。
【０１６２】
ステップＳ３６において、進行制御部３１１は、撮影画像をタッチパネルモニタ９３に表示し、撮影結果を利用者に確認させる。
【０１６３】
図２１は、下カメラアップ撮影時にタッチパネルモニタ９３に表示されるライブビュー表示画面の例を示している。図２１のライブビュー表示画面は、カメラ９１のライブビュー画像を表示するライブビュー表示領域４１１、および、撮影の結果得られる撮影画像が表示される撮影結果表示領域４１２−１乃至４１２−６から構成されている。図２１のライブビュー表示画面において、図示せぬカウントダウンインジケータで示される数字が０になったときに、ライブビュー表示領域４１１に表示されているライブビュー画像が下カメラアップ撮影画像として得られる。得られた下カメラアップ撮影画像は、撮影した順に、撮影結果表示領域４１２−１乃至４１２−６のうちの所定の領域（具体的には、撮影結果表示領域４１２−１乃至４１２−３）に表示されるようになる。
【０１６４】
図１９のフローチャートに戻り、ステップＳ３６の後、ステップＳ３７において、進行制御部３１１は、撮影を所定回数繰り返し行ったか否かを判定する。ステップＳ３７において撮影を所定回数行っていないと判定された場合、処理はステップＳ３３に戻り、上述の処理を繰り返し行う。具体的には、３回の下カメラアップ撮影が行われるまで、上述の処理が繰り返される。
【０１６５】
一方、ステップＳ３７において、下カメラアップ撮影を３回繰り返し行ったと判定された場合、処理はステップＳ３８に進み、カメラ駆動制御部３１６は、カメラ９１を上方向に移動させるように、カメラ９１の駆動を制御する。これにより、カメラ９１は、上カメラの状態とされる。
【０１６６】
ステップＳ３９において、進行制御部３１１は、撮影方法のガイダンス画面をタッチパネルモニタ９３に表示させる。具体的には、利用者の顔または上半身を前方斜め上から撮影する上カメラアップ撮影を行う旨のガイダンス画面を表示する。ガイダンス画面を表示した後、撮影画像取得部３１４は、カメラ９１を制御し、画像の取り込みを開始させる。
【０１６７】
なお、上述したように、カメラ９１は、上カメラの状態では、ズームアウトするようにフォーカスが調整されるが、ここでは、デジタルズーム機能により、取り込み画像の倍率を電気的に変更することで、上カメラアップ撮影を行う。また、カメラ９１のフォーカスは、図６を参照して説明した機構により調整される以外に、撮影方法に応じてカメラ駆動制御部３１６により調整されるようにしてもよい。
【０１６８】
ステップＳ４０において、ライブビュー表示制御部３１３は、カメラ９１により取り込まれた動画像（ライブビュー画像）をタッチパネルモニタ９３に表示させる（ライブビュー表示を行う）。
【０１６９】
ステップＳ４１において、撮影画像取得部３１４は、タッチパネルモニタ９３にカウントダウンインジケータを表示し、撮影タイミングを利用者に通知する。
【０１７０】
撮影タイミングになったとき、ステップＳ４２において、撮影画像取得部３１４は、カメラ９１を制御して上カメラアップ撮影を行い、静止画像である撮影画像（上カメラアップ撮影画像）を取得する。
【０１７１】
ステップＳ４３において、進行制御部３１１は、撮影画像をタッチパネルモニタ９３に表示し、撮影結果を利用者に確認させる。
【０１７２】
図２２は、上カメラアップ撮影時にタッチパネルモニタ９３に表示されるライブビュー表示画面の例を示している。図２２のライブビュー表示画面において、図示せぬカウントダウンインジケータで示される数字が０になったときに、ライブビュー表示領域４１１に表示されているライブビュー画像が上カメラアップ撮影画像として得られる。なお、上カメラアップ撮影は１回のみ行われる。撮影結果表示領域４１２−１乃至４１２−３には、下カメラアップ撮影画像が表示されているので、得られた上カメラアップ撮影画像は、撮影結果表示領域４１２−４に表示されるようになる。
【０１７３】
図１９のフローチャートに戻り、ステップＳ４３の後、図２０のステップＳ４４において、進行制御部３１１は、撮影方法のガイダンス画面をタッチパネルモニタ９３に表示させる。具体的には、利用者の全身を前方斜め上から撮影する上カメラ全身撮影を行う旨のガイダンス画面を表示する。ガイダンス画面を表示した後、撮影画像取得部３１４は、カメラ９１を制御し、画像の取り込みを開始させる。
【０１７４】
図２３は、タッチパネルモニタ９３に表示される上カメラ全身撮影のガイダンス画面の例を示している。図２３のガイダンス画面には、全身撮影を行う旨の文言と、利用者をタッチパネルモニタ９３に表示される足型の印である足マークに合わせて立たせるよう促す文言が表示される。すなわち、タッチパネルモニタ９３（図２４）には、ライブビュー画像とともに、上カメラ全身撮影を行うのに最適な立ち位置を示す足マークが表示され、利用者がその足マークに合わせて立つことで、好適な上カメラ全身撮影画像が得られるようになされている。
【０１７５】
そして、ステップＳ４５において、カメラ９１により取り込まれた動画像（ライブビュー画像）を表示させ、所定の撮影タイミングで上カメラ全身撮影を行う上カメラ全身撮影処理が実行される。なお、上カメラ全身撮影処理については、図２５のフローチャートを参照して後述する。
【０１７６】
図２４は、上カメラ全身撮影時にタッチパネルモニタ９３に表示されるライブビュー表示画面の例を示している。図２４のライブビュー表示画面において、図示せぬカウントダウンインジケータで示される数字が０になったときに、ライブビュー表示領域４１１に表示されているライブビュー画像が上カメラ全身撮影画像として得られる。撮影結果表示領域４１２−１乃至４１２−３には、下カメラアップ撮影画像が表示され、撮影結果表示領域４１２−４には、上カメラアップ撮影画像が表示されているので、得られた上カメラ全身撮影画像は、撮影結果表示領域４１２−５に表示されるようになる。
【０１７７】
なお、図２４に示されるタッチパネルモニタ９３においては、ライブビュー表示領域４１１の領域外（ライブビュー表示領域４１１の下）に足マークが表示されているが、ライブビュー表示領域４１１に表示されるライブビュー画像内に足マークを表示するようにしてもよい。また、足マークを、タッチパネルモニタ９３に表示するのではなく、床１０４（クロマキー用シート１２１Ｃ）の表面に予め記すようにし、利用者にその足マークの上に立たせるようにしてもよい。
【０１７８】
図２０のフローチャートに戻り、ステップＳ４６において、進行制御部３１１は、経過時間または残り時間に基づいて、撮影可能時間内か否かを判定する。ステップＳ４６において、撮影可能時間内であると判定された場合、追加的な撮影、いわゆる「ボーナス撮影」の処理が行われる。
【０１７９】
ステップＳ４７において、進行制御部３１１は、ボーナス撮影のガイダンス画面をタッチパネルモニタ９３に表示させる。ガイダンス画面を表示した後、撮影画像取得部３１４は、カメラ９１を制御し、画像の取り込みを開始させる。
【０１８０】
ステップＳ４８において、ライブビュー表示制御部３１３は、カメラ９１により取り込まれた動画像（ライブビュー画像）をタッチパネルモニタ９３に表示させる（ライブビュー表示を行う）。
【０１８１】
ステップＳ４９において、撮影画像取得部３１４は、タッチパネルモニタ９３にカウントダウンインジケータを表示し、撮影タイミングを利用者に通知する。
【０１８２】
撮影タイミングになったとき、ステップＳ５０において、撮影画像取得部３１４は、カメラ９１を制御してボーナス撮影を行い、静止画像である撮影画像（ボーナス撮影画像）を取得する。
【０１８３】
なお、ボーナス撮影処理においては、カメラ９１は上カメラの状態とされるので、上カメラアップ撮影または上カメラ全身撮影のいずれかが行われるものとする。なお、以下、ボーナス撮影処理において、上カメラ全身撮影が行われる場合を例に挙げて説明する。
【０１８４】
ステップＳ５１において、進行制御部３１１は、撮影画像をタッチパネルモニタ９３に表示し、撮影結果を利用者に確認させる。このとき、得られたボーナス撮影画像は、図２１、図２２または図２４に示される撮影結果表示領域４１２−６に表示されるようになる。その後、処理はステップＳ５２に進む。
【０１８５】
一方、ステップＳ４６において、撮影可能時間内でないと判定された場合、ステップＳ４７乃至Ｓ５１はスキップされ、ボーナス撮影は行われずに、処理はステップＳ５２に進む。
【０１８６】
従って、例えば、コインを１枚投入してから所定の時間（例えば、300秒）が経過した場合、化粧直し等により時間がかかっている利用者に対しては、ボーナス撮影が行われなくなる。そのため、大部分の利用者は、ボーナス撮影が行われるように、より早く撮影するようになる。
【０１８７】
なお、以下、ボーナス撮影が行われる場合を通常撮影と称し、ボーナス撮影が行われない場合をペナルティ撮影と称する。また、以下、ボーナス撮影が終了するまでに得られる撮影画像をまとめて標準撮影画像と称する。従って、通常撮影が行われた場合には、６枚の標準撮影画像が得られ、ペナルティ撮影が行われた場合には、５枚の標準撮影画像が得られることになる。なお、後述するように、標準撮影画像がシール紙に印刷される対象となる。
【０１８８】
ステップＳ５２において、顔認識部３２１は、撮影人数が１人または２人であるか否かを判定する。具体的には、顔認識部３２１は、現在までに得られた５枚または６枚の各撮影画像に対して顔認識処理を行い、各撮影画像における撮影人数を検出する。なお、顔認識処理には、任意の手法を採用することができる。
【０１８９】
そして、顔認識部３２１は、撮影人数が１人または２人の撮影画像が４枚以上である場合、撮影人数が１人または２人であると判定し、処理はステップＳ５３に進む。
【０１９０】
ステップＳ５３において、クロス組合せ撮影処理が実行される。この処理により、携帯端末への送信用の画像として、利用者毎に全身画像と顔付近のアップ画像を組み合わせたクロス組合せ画像が得られる。なお、クロス組合せ撮影処理については、図４２のフローチャートを参照して後述する。
【０１９１】
ステップＳ５３の処理が終了すると、撮影処理は終了され、処理は図１８のステップＳ２に戻る。
【０１９２】
一方、ステップＳ５２において、顔認識部３２１は、撮影人数が１人または２人の撮影画像が４枚未満である場合、撮影人数が１人または２人でないと判定する。その後、ステップＳ５３の処理はスキップされ、撮影処理は終了され、処理は図１８のステップＳ２に戻る。
【０１９３】
［上カメラ全身撮影処理１］
次に、図２５のフローチャートを参照して、図２０のステップＳ４５の上カメラ全身撮影処理の詳細について説明する。
【０１９４】
ステップＳ１１１において、クロマキー処理部３１７は、カメラ９１により取り込まれた動画像（ライブビュー画像）の背景領域を抜き出す。
【０１９５】
図２６は、カメラ９１により取り込まれたライブビュー画像の例を示している。図２６のライブビュー画像５０１においては、２人の被写体とともに、撮影空間Ａ１を構成する背景部２２の背面パネル５１、側面パネル５２Ｂ、および床１０４の表面に貼付されているクロマキー用シート１２１Ａ，１２１Ｂ，１２１Ｃが表示されている。
【０１９６】
ここで、クロマキー用シート１２１Ａ，１２１Ｂ，１２１Ｃがそれぞれ異なる材質で構成されているものとすると、ライブビュー画像５０１におけるクロマキー用シート１２１Ａ，１２１Ｂ，１２１Ｃの色（見え方）もそれぞれ異なる。
【０１９７】
そこで、クロマキー処理部３１７は、ライブビュー画像５０１の背景領域としての撮影空間Ａ１の背面、側面、および床面（すなわち、クロマキー用シート１２１Ａ，１２１Ｂ，１２１Ｃ）の３面それぞれの色を示す値の範囲（色範囲）を検出することで、背面、側面、および床面それぞれについてのクロマキーパラメータを設定する。
【０１９８】
具体的には、図２７に示されるライブビュー画像５０１（被写体は省略）において、クロマキー用シート１２１Ａで最も明るい領域RmaxAの色値と、最も暗い領域RminAの色値とに基づいて色範囲が検出されることで、クロマキー用シート１２１Ａのクロマキーパラメータが設定される。同様に、クロマキー用シート１２１Ｂで最も明るい領域RmaxBの色値と、最も暗い領域RminBの色値とに基づいて色範囲が検出されることで、クロマキー用シート１２１Ｂのクロマキーパラメータが設定され、クロマキー用シート１２１Ｃで最も明るい領域RmaxCの色値と、最も暗い領域RminCの色値とに基づいて色範囲が検出されることで、クロマキー用シート１２１Ｃのクロマキーパラメータが設定される。
【０１９９】
そして、クロマキー処理部３１７は、３面それぞれについてのクロマキーパラメータを用いて、ライブビュー画像５０１から背景領域（背面、側面、および床面）を抜き出す。
【０２００】
ステップＳ１１２において、コーナーポイント検知部３１８は、カメラ９１により取り込まれたライブビュー画像の背景領域の色を示す値（色値）の境界に基づいて、コーナーポイントを検知する。
【０２０１】
上述したように、図２６において、ライブビュー画像５０１におけるクロマキー用シート１２１Ａ，１２１Ｂ，１２１Ｃの色はそれぞれ異なるので、コーナーポイント検知部３１８は、クロマキー用シート１２１Ａ，１２１Ｂ，１２１Ｃの３面それぞれの色範囲を検出し、それぞれの色値の境界を求めることで、撮影空間Ａ１の背面、側面、および床面の３面が交わるコーナーポイントCPを検知する。
【０２０２】
ステップＳ１１３において、進行制御部３１１は、コーナーポイント検知部３１８がコーナーポイントを検知したか否かを判定する。ステップＳ１１３において、コーナーポイントを検知していないと判定された場合、処理はステップＳ１１２に戻り、コーナーポイントが検知されるまで処理が繰り返される。なお、コーナーポイントを検知していないと判定された場合、タッチパネルモニタ９３に、エラーメッセージを表示させるようにしてもよい。また、このとき、色値の境界を求めるのに用いられる色範囲が変更（再検出）されるようにしてもよい。
【０２０３】
一方、ステップＳ１１３において、コーナーポイントが検知されたと判定された場合、処理はステップＳ１１４に進み、コーナー画像生成部３１９は、図２８に示されるような、撮影空間の背面、側面、および床面のうちの２面が交わる交線に似せたコーナーライン５２２Ａ，５２２Ｂ，５２２Ｃが描かれているコーナー画像５２１を生成する。コーナー画像５２１において、撮影空間の背面、側面、および床面に対応する各面の色は、例えばグレーに近い白色とされる。コーナー画像５２１は、部屋の一角を模した背景画像とされる。
【０２０４】
ステップＳ１１５において、ライブビュー表示制御部３１３は、カメラ９１により取り込まれたライブビュー画像をタッチパネルモニタ９３に表示させる（ライブビュー表示を行う）。ここでは、図２６に示されるような、２人の被写体とともに、クロマキー用シート１２１Ａ，１２１Ｂ，１２１Ｃが表示されるライブビュー画像が表示される。
【０２０５】
ステップＳ１１６において、撮影画像取得部３１４は、タッチパネルモニタ９３にカウントダウンインジケータを表示し、撮影タイミングを利用者に通知する。
【０２０６】
ここで、ステップＳ１１１乃至Ｓ１１４の処理と、ステップＳ１１５，Ｓ１１６の処理とは、並列に実行されてもよい。
【０２０７】
撮影タイミングになったとき、ステップＳ１１７において、撮影画像取得部３１４は、カメラ９１を制御して撮影を行い、そのタイミングで取り込まれ、背景領域が抜き出された静止画像である撮影画像（上カメラ全身撮影画像）を取得する。
【０２０８】
ステップＳ１１８において、合成処理部３２０は、上カメラ全身撮影画像においてコーナーポイント検知部３１８により検知されたコーナーポイントCPと、コーナー画像生成部３１９により生成されたコーナー画像５２１のコーナーライン５２２Ａ乃至５２２Ｃの交点とが一致するように、背景領域が抜き出された上カメラ全身撮影画像にコーナー画像５２１を合成する。
【０２０９】
ステップＳ１１９において、進行制御部３１１は、撮影画像をタッチパネルモニタ９３に表示し、撮影結果を利用者に確認させる。
【０２１０】
以上の処理によれば、図２９に示される、被写体の頭からつま先までが写った上カメラ全身撮影画像５４１を得ることができる。図２９の上カメラ全身撮影画像５４１は、被写体の前方斜め上から撮影された、顔を強調した全身画像であり、背面、側面、および床の境界がはっきりと示されるようになるので、ブログにアップロードされるコーデ画像として好適な画像となる。このようにして、利用者にとってより満足度の高いコーデ画像を提供することが可能となる。
【０２１１】
さらに、撮影空間Ａ１において、床１０４には傾斜が設けられているので、より足が長く見えるコーデ画像を得ることができる。さらに、そのコーデ画像においては、床１０４の傾斜により、必要以上に顔が大きく見えることを避けることができるとともに、上目遣いをした顔となることを避けることができるので、より見栄えのよいコーデ画像が得られることとなる。
【０２１２】
なお、ステップＳ１１５において、ライブビュー画像として、背景領域（背面、側面、および床面）が抜き出されたライブビュー画像にコーナー画像を合成したものを表示するようにしてもよい。これにより、利用者は、実際に得られる上カメラ全身撮影画像をイメージしながら撮影作業を行うことができる。
【０２１３】
また、背景領域が抜き出されたライブビュー画像にコーナー画像を合成する際、コーナーポイント検知部３１８により検知されたコーナーポイントではなく、予め設定されたコーナーポイントと、コーナー画像の線分の交点とが一致するように合成するようにしてもよい。これにより、背面、側面、および床面の３面がクロマキー処理により抜き出された撮影画像に対して、コーナー画像を容易に適正な位置に合成することができ、ブログにアップロードされるコーデ画像として好適な画像を得ることができる。
【０２１４】
さらに、コーナー画像において、コーナーラインは、実際の撮影空間の背面、側面、および床面のうちの２面が交わる交線に対応した位置や角度に対応して描かれる必要はなく、また、撮影空間の背面、側面、および床面に対応する各面の色は、上述した色（グレーに近い白色）に限られず、さらに、部屋の一角を模した装飾を施すようにしてもよい。
【０２１５】
また、複数の種類のコーナー画像を予め用意しておき、利用者に選択させるようにしてもよい。これにより、より利用者の嗜好に合ったコーデ画像を提供することができるようになる。
【０２１６】
［上カメラ全身撮影処理２］
次に、図３０のフローチャートを参照して、上カメラ全身撮影処理の他の例について説明する。
【０２１７】
なお、図３０のフローチャートのステップＳ２１５乃至Ｓ２１９の処理は、図２５のフローチャートのステップＳ１１５乃至Ｓ１１９の処理と基本的に同様であるので、その説明は省略する。
【０２１８】
ステップＳ２１１において、クロマキー処理部３１７は、カメラ９１により取り込まれた動画像（ライブビュー画像）の背景領域を抜き出す。
【０２１９】
具体的には、クロマキー処理部３１７は、ライブビュー画像の背景領域としての撮影空間Ａ１の背面、側面、および床面（すなわち、クロマキー用シート１２１Ａ，１２１Ｂ，１２１Ｃ）の３面全ての色範囲を検出することで、１つのクロマキーパラメータを設定する。
【０２２０】
すなわち、図３１に示されるライブビュー画像５０１（被写体は省略）において、クロマキー用シート１２１Ａ，１２１Ｂ，１２１Ｃで最も明るい領域Rmaxの色値と、最も暗い領域Rminの色値とに基づいて色範囲が検出されることで、クロマキー用シート１２１Ａ，１２１Ｂ，１２１Ｃのクロマキーパラメータが設定される。
【０２２１】
そして、クロマキー処理部３１７は、そのクロマキーパラメータを用いて、ライブビュー画像から背景領域（背面、側面、および床面）を抜き出す。
【０２２２】
ステップＳ２１２において、コーナーポイント検知部３１８は、カメラ９１により取り込まれたライブビュー画像の背景領域の色値と、所定の閾値とに基づいて、コーナーポイントを検知する。
【０２２３】
ここで、撮影空間において、背面、側面、および床面の３面が交わる交点（コーナーポイントに対応する部分）や、背面、側面、および床面のうちの２面が交わる交線（コーナーラインに対応する部分）の近傍は、照明装置としてのストロボからの光が届きにくく、影になりやすい。したがって、ライブビュー画像のクロマキー用シート１２１Ａ，１２１Ｂ，１２１Ｃにおいて、コーナーポイントに対応する部分や、コーナーラインに対応する部分の近傍の色は、暗い緑色となる。
【０２２４】
そこで、コーナーポイント検知部３１８は、ライブビュー画像において、クロマキー用シート１２１Ａ，１２１Ｂ，１２１Ｃの色値のうち、所定の色値の範囲（暗い緑色とされる色値の範囲）に含まれる色値に対応する部分（画素位置）を特定することで、撮影空間Ａ１の背面、側面、および床面の３面が交わるコーナーポイントCPを検知する。例えば、暗い緑色とされる色値の範囲に含まれる色値に対応する部分において、最も暗い緑色とされる色値の部分が、コーナーポイントCPとして検知される。
【０２２５】
また、暗い緑色とされる色値の範囲に含まれる色値に対応する部分において、コーナーラインに対応する部分を検知し、その部分を直線で近似することで、コーナーポイントCPを検知（設定）するようにしてもよい。
【０２２６】
なお、このとき、コーナーポイント検知部３１８がコーナーポイントCPを検知可能とするように（検知しやすいように）、照明制御部３１５が、撮影空間Ａ１内の各ストロボの発光を制御するようにしてもよい。例えば、背景領域の上側より下側を照射する光を弱くするように、照明制御部３１５は、下ストロボ８５や足元ストロボ８６の発光量を抑えたり、発光させないようにする等して、各ストロボの発光を制御することができる。
【０２２７】
ステップＳ２１３において、進行制御部３１１は、コーナーポイント検知部３１８がコーナーポイントを検知したか否かを判定する。ステップＳ２１３において、コーナーポイントを検知していないと判定された場合、処理はステップＳ２１２に戻り、コーナーポイントが検知されるまで処理が繰り返される。なお、ここでも、コーナーポイントを検知していないと判定された場合、タッチパネルモニタ９３に、エラーメッセージを表示させるようにしてもよい。また、このとき、コーナーポイントの検知に用いられる閾値（色値の範囲）が変更されるようにしてもよい。
【０２２８】
一方、ステップＳ２１３において、コーナーポイントが検知されたと判定された場合、処理はステップＳ２１４に進み、コーナー画像生成部３１９は、背景領域の色値を用いて、コーナー画像を生成する。具体的には、コーナー画像生成部３１９は、クロマキー用シート１２１Ａ，１２１Ｂ，１２１Ｃの色値のうち、例えば上述した暗い緑色とされる色値の範囲に含まれる色値に基づいて、コーナーラインの画素位置を決定し、その結果に応じたコーナーラインを含むコーナー画像を生成する。このとき、コーナー画像生成部３１９は、コーナー画像におけるコーナーラインの近傍の部分に対して、ライブビュー画像の対応する部分の色値に応じた影を施す処理を行う。これにより、実際の撮影空間に生じる影を再現した、リアルなコーナー画像を生成することができる。なお、影を施す処理として、コーナー画像におけるコーナーラインを中心としたぼかし処理を行うようにしてもよい。
【０２２９】
以上のように、図３０の上カメラ全身撮影処理においても、図２５の上カメラ全身撮影処理と同様の作用効果を奏することができる。
【０２３０】
さらに、得られる上カメラ全身撮影画像には、リアルなコーナー画像が合成されるので、利用者にとってより一層満足度の高いコーデ画像を提供することが可能となる。
【０２３１】
なお、ステップＳ２１５においても、ライブビュー画像として、背景領域（背面、側面、および床面）が抜き出されたライブビュー画像にコーナー画像を合成したものを表示するようにしてもよい。これにより、利用者は、実際に得られる上カメラ全身撮影画像をイメージしながら撮影作業を行うことができる。
【０２３２】
ところで、上述した上カメラ全身撮影画像においては、その画像内の特定の位置にコーナーポイントがあることが望ましく、これにより、バランスのよい上カメラ全身撮影画像が得られるようになる。
【０２３３】
しかしながら、カメラ９１の取り付け位置のずれや、撮影空間Ａ１を構成する撮影部２１および背景部２２の歪み等により、検知されるコーナーポイントが望ましい位置からずれてしまうことが考えられる。
【０２３４】
そこで、以下においては、検知されたコーナーポイントが望ましい位置からずれている場合に、そのコーナーポイントを調整する処理について説明する。
【０２３５】
［コーナーポイント調整処理］
図３２は、検知されたコーナーポイントが望ましい位置からずれている場合に、そのコーナーポイントを調整するコーナーポイント調整処理について説明するフローチャートである。図３２のコーナーポイント調整処理は、撮影処理において、上カメラ全身撮影処理が実行される前に実行されてもよいし、写真シール作成装置１の所定箇所に設けられるメンテナンスボタンが操作されることにより、写真シール作成装置１の動作モードがメンテナンスモードに移行したときに実行されるようにしてもよい。
【０２３６】
なお、図３２のコーナーポイント調整処理は、カメラ９１が上カメラの状態で実行される。
【０２３７】
また、図３２のフローチャートのステップＳ３１１乃至Ｓ３１３の処理は、図２５のフローチャートのステップＳ１１１乃至Ｓ１１３の処理、または、図３０のフローチャートのステップＳ２１１乃至Ｓ２１３の処理のいずれかが実行されればよく、ここでは、その説明は省略する。
【０２３８】
すなわち、ステップＳ３１４において、ライブビュー表示制御部３１３は、カメラ９１により取り込まれたライブビュー画像をタッチパネルモニタ９３に表示させる（ライブビュー表示を行う）。このとき、図３３に示されるように、ライブビュー画像６０１には、クロマキー用シート１２１Ａ，１２１Ｂ，１２１Ｃ、検知されたコーナーポイントCP、および、設定されるべきコーナーポイントの位置を示す設定ポイントCP0が表示される。
【０２３９】
ステップＳ３１５において、ライブビュー表示制御部３１３は、検知されたコーナーポイントCPが設定ポイントCP0から所定の距離以上ずれているか否かを判定する。
【０２４０】
ステップＳ３１５において、コーナーポイントCPが設定ポイントCP0からずれていると判定された場合、処理はステップＳ３１６に進み、ライブビュー表示制御部３１３は、ライブビュー画像６０１の移動を促す表示、例えば、「コーナーポイントを合わせてください」等のメッセージの表示を行う。このとき、利用者は、タッチパネルモニタ９３のライブビュー表示領域に表示されているライブビュー画像を指などでタッチ（ドラッグ）することにより、ライブビュー画像（コーナーポイントCP）を移動することができる。
【０２４１】
また、図３４に示されるように、ライブビュー画像６０１に操作ボタン６１１を表示し、利用者に操作させることによって、ライブビュー画像（コーナーポイントCP）を移動するようにしてもよい。
【０２４２】
一方、ステップＳ３１５において、コーナーポイントCPが設定ポイントCP0からずれていないと判定された場合、処理は終了する。
【０２４３】
以上の処理によれば、検知されたコーナーポイントが望ましい位置からずれている場合、そのコーナーポイントを調整することができる。
【０２４４】
なお、ステップＳ３１５において表示される設定ポイントCP0は、利用者（操作者）の操作によって所望の位置に設定されるようにしてもよい。
【０２４５】
以上においては、ライブビュー画像（撮影画像）の背景領域としての撮影空間Ａ１の背面、側面、および床面には、クロマキー用シート１２１Ａ，１２１Ｂ，１２１Ｃが貼付されるものとしたが、背面、側面、および床面のうちの２面が交わる交線近傍には、クロマキー用シート１２１Ａ，１２１Ｂ，１２１Ｃが貼付されないようにしてもよい。
【０２４６】
また、撮影空間Ａ１の背面、側面、および床面のうちの２面が交わる交線近傍に、クロマキー用シート１２１Ａ，１２１Ｂ，１２１Ｃが貼付されないようにした場合、クロマキー用シートが貼付されている部分と貼付されていない部分との境界も、クロマキー処理の対象とする。具体的には、背面パネル５１においてクロマキー用シート１２１Ａが貼付されている部分と貼付されていない部分との境界、側面パネル５２Ｂにおいてクロマキー用シート１２１Ｂが貼付されている部分と貼付されていない部分との境界、床１０４の表面においてクロマキー用シート１２１Ｃが貼付されている部分と貼付されていない部分との境界がそれぞれ含まれる色範囲で、クロマキー処理を実行するようにしてもよい。なお、撮影空間Ａ１の背面、側面、および床面においてクロマキー用シートが貼付されていない部分の色は、撮影画像に合成されるコーナー画像の各面の色（例えばグレーに近い白色）とされる。
【０２４７】
これにより、撮影画像からコーナーポイントやコーナーラインに対応する部分（実際のコーナー部分）が抜き出されずに残るので、撮影画像においては、よりリアルな背景が再現され、コーデ画像により好適な撮影画像を得ることができる。
【０２４８】
また、上述した上カメラ全身撮影処理において、コーナーポイントを検知する処理は、ライブビュー画像に対して行われるようにしたが、上カメラ全身撮影処理開始時に、仮撮影を行うようにし、得られた仮撮影画像に対してコーナーポイントを検知するようにしてもよい。
【０２４９】
さらに、上カメラ全身撮影処理として、図２５のフローチャートを参照して説明した上カメラ全身撮影処理と、図３０を参照して説明した上カメラ全身撮影処理が選択的に行われるようにしてもよい。例えば、コーナー画像以外の背景画像を合成するようにして、合成されるその背景画像の配置が、実際の撮影空間の背面、側面、および床面の位置と合わない場合には、図２５の上カメラ全身撮影処理が実行され、合成されるその背景画像の配置が、実際の撮影空間の背面、側面、および床面の位置に合っている場合には、図２５の上カメラ全身撮影処理が実行されるようにする。
【０２５０】
また、上述した説明においては、コーナーポイントとして、撮影空間Ａ１において背面パネル５１、右側面の側面パネル５２Ｂ、および床１０４の３面が交わる交点を検知するようにしたが、背面パネル５１、左側面の側面パネル５２Ａ、および床１０４の３面が交わる交点を検知するようにしてもよい。
【０２５１】
ところで、ファッション雑誌に掲載されている写真は、部屋の一角を模したある程度の広さのある撮影スタジオにおいて撮影されたものが多く、その仕上がりは奥行き感のあるものとなる。
【０２５２】
一方、本発明の写真シール作成装置１の撮影空間Ａ１は、決して広さのある空間とは言えず、図３５に示されるように、カメラ９１を備える撮影・表示ユニット８１と被写体１１１との距離は、最も近づいた場合で700mm、最も離れた場合であっても1000mmである。
通常、このように、カメラと被写体との距離が近い撮影空間で撮影された写真（撮影画像）においては、被写体と背景とに明暗をつけることが難しく、奥行き感のない仕上がりとなってしまう。
【０２５３】
そこで、本発明の写真シール作成装置１においては、上述したように、背景領域を抜き出した画像に、部屋の一角を模したコーナー画像を合成するようにしたので、得られる撮影画像の仕上がりを奥行き感のあるものとすることができる。さらに、図３０のフローチャートを参照して説明した処理においては、実際の撮影空間に生じる影を再現したコーナー画像を生成するようにしたので、得られる撮影画像において、より自然な奥行き感を再現することができるようになる。
【０２５４】
また、以上においては、コーナーポイントとして、撮影空間Ａ１の背面、側面、および床面の３面の交点を検知するようにしたが、撮影空間Ａ１の形状に応じて、３面以上の交点を検知するようにしてもよい。例えば、撮影空間Ａ１が、正八面体を構成する構造である場合には、正三角形の４面が交わる交点を、コーナーポイントとして検知するようにしてもよい。
【０２５５】
［クロス組合せ撮影処理１］
次に、図３６のフローチャートを参照して、図２０のステップＳ５３のクロス組合せ撮影処理の詳細について説明する。
【０２５６】
ステップＳ２０１において、進行制御部３１１は、撮影方法のガイダンス画面をタッチパネルモニタ９３に表示させる。具体的には、２人同時に全身および顔付近のアップの撮影を行い、利用者毎に全身画像と顔付近のアップ画像を組み合わせたクロス組合せ画像を生成するクロス組合せ撮影を行う旨のガイダンス画面が、タッチパネルモニタ９３に表示される。ガイダンス画面を表示した後、撮影画像取得部３１４は、カメラ９１を制御し、画像の取り込みを開始させる。
【０２５７】
ステップＳ２０２において、ライブビュー表示制御部３１３は、カメラ９１により取り込まれた動画像（ライブビュー画像）をタッチパネルモニタ９３に表示させる（ライブビュー表示を行う）。
【０２５８】
図３７は、このときタッチパネルモニタ９３に表示されるライブビュー表示画面の例を模式的に示している。この場合、２人の被写体が写っている、図３７の左側に示されるカメラ９１の取り込み画像７０１に対して、被写体部分それぞれがトリミングされる。図３７の右側に示されるライブビュー表示画面には、カメラ９１の取り込み画像７０１からトリミングされた各被写体の画像を個別にライブビュー表示するライブビュー表示領域７０２Ｌ，７０２Ｒが表示される。すなわち、ライブビュー表示領域７０２Ｌには、取り込み画像７０１からトリミングされた左側の被写体の画像が表示され、ライブビュー表示領域７０２Ｒには、取り込み画像７０１からトリミングされた右側の被写体の画像が表示される。
【０２５９】
そして、利用者は、ライブビュー表示画面の下方に表示されているガイダンスに従って、ライブビュー表示領域７０２Ｌ，７０２Ｒにそれぞれの全身がうまく入るように、立ち位置や姿勢等を調整する。
【０２６０】
ところで、取り込み画像７０１において、２人の被写体が重なっている場合、それぞれの被写体をトリミングすると、お互いの腕等の体の一部が、トリミングされた画像それぞれに入り込んでしまう。
【０２６１】
そこで、図３８に示されるように、取り込み画像７０１において、その左右方向に対して中央部分の領域７０１ａを、被写体が撮影されない非撮影領域とし、被写体が領域７０１ａに入った場合には、警告音等を鳴らすようにしてもよい。
【０２６２】
これにより、取り込み画像７０１において、２人の被写体が重なることがなくなるので、それぞれの被写体が取り込み画像７０１から確実にトリミングされるようになる。
【０２６３】
なお、この場合、図３７のライブビュー表示画面の代わりに、図３８の取り込み画像７０１の領域７０１ａをマスクした画像をそのままライブビュー表示画面に表示するようにしてもよい。
【０２６４】
また、図３９Ａに示されるように、取り込み画像７０１において、被写体の２人の身長差が大きい場合、それぞれ同じ様にトリミングすると、身長の低い被写体をトリミングした画像に無駄な領域が発生してしまい、バランスの悪い撮影画像が得られてしまう。
【０２６５】
そこで、図３９Ｂに示されるように、取り込み画像７０１において、例えば、人認識の結果に基づいて、被写体それぞれの身長に応じたトリミング枠を設定し、そのトリミング枠に応じてトリミングするようにしてもよい。これにより、それぞれの被写体がトリミングされた画像に無駄な領域が発生することなく、バランスのよい撮影画像が得られるようになる。
【０２６６】
図３６のフローチャートに戻り、ステップＳ２０３において、撮影画像取得部３１４は、タッチパネルモニタ９３にカウントダウンインジケータを表示し、撮影タイミングを利用者に通知する。
【０２６７】
ステップＳ２０４において、撮影処理部３０１は、上カメラ全身撮影を行う。すなわち、図２５または図３０を参照して上述した処理と同様の撮影が行われ、上カメラ全身撮影画像が取得される。
【０２６８】
ステップＳ２０５において、ライブビュー表示制御部３１３は、カメラ９１により取り込まれた動画像（ライブビュー画像）をタッチパネルモニタ９３に表示させる（ライブビュー表示を行う）。
【０２６９】
図４０は、このときタッチパネルモニタ９３に表示されるライブビュー表示画面の例を示している。この場合、２人の被写体が写っている、図４０の左側に示されるカメラ９１の取り込み画像７２１に対して、被写体の顔付近の部分がそれぞれトリミングされる。図４０の右側に示されるライブビュー表示画面には、カメラ９１の取り込み画像７２１からトリミングされた各被写体の顔付近の画像を個別にライブビュー表示するライブビュー表示領域７２２Ｌ，７２２Ｒが表示される。すなわち、ライブビュー表示領域７２２Ｌには、取り込み画像７２１からトリミングされた左側の被写体の顔付近の画像が表示され、ライブビュー表示領域７２２Ｒには、取り込み画像７２１からトリミングされた右側の被写体の顔付近の画像が表示される。
【０２７０】
そして、利用者は、ライブビュー表示画面の下方に表示されているガイダンスに従って、ライブビュー表示領域７２２Ｌ，７２２Ｒにそれぞれの顔がうまく入るように、立ち位置や姿勢等を調整する。
【０２７１】
なお、図３８を参照して上述した場合と同様に、取り込み画像７２１において、その左右方向の中央部分の領域を、被写体が撮影されない非撮影領域とし、被写体が非撮影領域に入った場合には、警告音等を鳴らすようにしてもよい。また、取り込み画像７２１の非撮影領域をマスクした画像を、そのままライブビュー表示画面に表示するようにしてもよい。
【０２７２】
また、例えば、ステップＳ２０２とステップＳ２０５のライブビュー表示時に各利用者の顔認識を行い、ステップＳ２０５のライブビュー表示時に、ステップＳ２０２のライブビュー表示時と左右の利用者の顔の認識結果が異なる場合に、その旨をアナウンス等で通知するようにしてもよい。この通知が行われるケースとして、例えば、利用者の左右の位置が入れ替わったり、利用者の１人または２人が別の人と入れ替わったり、撮影空間Ａ１内の利用者の数が増えたり、減ったりしている場合等が想定される。
【０２７３】
さらに、図２０のステップＳ５２において撮影人数が１人と判定された場合、図３７のライブビュー表示画面および図４０のライブビュー表示画面において、左右のいずれか一方のライブビュー表示領域の表示、および、その領域内の被写体の撮影を省略することが可能である。あるいは、例えば、図３７のライブビュー表示画面では、ライブビュー表示領域の表示を省略せずに、図４０のライブビュー表示画面において、図３７のライブビュー表示画面で利用者の存在が認識された方と異なる側にあるライブビュー表示領域の表示、および、その領域内の被写体の撮影を省略するようにしてもよい。
【０２７４】
図３６のフローチャートに戻り、ステップＳ２０６において、撮影画像取得部３１４は、タッチパネルモニタ９３にカウントダウンインジケータを表示し、撮影タイミングを利用者に通知する。
【０２７５】
ステップＳ２０７において、図１９のステップＳ４２の処理と同様に、上カメラアップ撮影が行われ、上カメラアップ撮影画像が取得される。
【０２７６】
ステップＳ２０８において、合成処理部３２０は、クロス組合せ画像を生成する。具体的には、合成処理部３２０は、ステップＳ２０４の処理で取得した上カメラ全身撮影画像から各被写体の全身画像を個別にトリミング（抽出）する。また、合成処理部３２０は、ステップＳ２０７の処理で取得した上カメラアップ撮影画像から各被写体の顔付近の画像を個別にトリミング（抽出）する。そして、合成処理部３２０は、抽出した全身画像およびアップ画像を利用者ごとに所定の合成用画像に合成することにより、クロス組合せ画像を生成する。これにより、同じ利用者の全身と顔のアップを組み合わせた合成画像（クロス組合せ画像）が、利用者毎に複数生成される。
【０２７７】
ステップＳ２０９において、進行制御部３１１は、クロス組合せ画像をタッチパネルモニタ９３に表示し、撮影結果を利用者に確認させる。
【０２７８】
図４１は、このときタッチパネルモニタ９３に表示されるクロス組合せ画像の確認画面の表示例を示している。図４１の確認画面は、クロス組合せ画像が表示される撮影結果表示領域７４１Ｌおよび７４１Ｒから構成されている。
【０２７９】
撮影結果表示領域７４１Ｌに表示されるクロス組合せ画像には、ステップＳ２０４の処理で取得した上カメラ全身撮影画像の左側の被写体の全身画像が左側に配置され、ステップＳ２０７の処理で取得した上カメラアップ撮影画像の左側の被写体の顔付近のアップ画像が右上に配置されている。また、全身画像およびアップ画像の背景、並びに、クロス組合せ画像の右下に、所定の合成用画像が合成されている。
【０２８０】
同様に、撮影結果表示領域７４１Ｒに表示されるクロス組合せ画像には、ステップＳ２０４の処理で取得した上カメラ全身撮影画像の右側の被写体の全身画像が左側に配置され、ステップＳ２０７の処理で取得した上カメラアップ撮影画像の右側の被写体の顔付近のアップ画像が右上に配置されている。また、全身画像およびアップ画像の背景、並びに、クロス組合せ画像の右下に、所定の合成用画像が合成されている。
【０２８１】
これらのクロス組合せ画像は、上述した図１８のステップＳ７の事後接客処理において、利用者の携帯端末に送信される。
【０２８２】
なお、クロス組合せ画像は、例えば、ファッションコーディネイトの投稿サイトなどに投稿する画像に適している。すなわち、全身画像により全身のファッションを詳細に確認できるとともに、アップ画像により被写体の顔を詳細に確認することができるからである。また、全身画像とアップ画像が個別に撮影されるため、ファッションを写すための画像と、顔の表情を写すための画像とを分けて撮影することができ、より利用者の嗜好にあった画像を得ることができる。
【０２８３】
また、クロス組合せ画像は利用者毎に画像がまとめられているため、例えば、他者の肖像権やプライバシー等を考慮することなく、ブログやＳＮＳ（Social Networking Service）等の自分専用のサイトに投稿することができる。
【０２８４】
さらに、２人の利用者で同時に撮影したにも関わらず、利用者毎に全身画像とアップ画像が組み合わされた、撮影時とは異なった画像が提供されるため、利用者に驚きと面白みを与えることができ、利用者の満足度が向上する。
【０２８５】
［クロス組合せ撮影処理２］
次に、図４２のフローチャートを参照して、クロス組合せ撮影処理の他の例について説明する。
【０２８６】
なお、図４２のフローチャートのステップＳ２５１乃至Ｓ２５４の処理は、図３６のフローチャートのステップＳ２０１乃至Ｓ２０４の処理と基本的に同様であるので、その説明は省略する。また、図４２のフローチャートのステップＳ２５７乃至Ｓ２５９の処理は、図３６のフローチャートのステップＳ２０５乃至Ｓ２０７の処理と基本的に同様であるので、その説明は省略する。
【０２８７】
ステップＳ２５５において、合成処理部３２０は、全身画像を合成する。具体的には、合成処理部３２０は、ステップＳ２５４の処理で取得した上カメラ全身撮影画像から各被写体の全身画像を個別にトリミング（抽出）する。そして、合成処理部３２０は、抽出した全身画像を利用者ごとに所定の合成用画像に合成する。これにより、利用者の全身のみが写った画像が、利用者毎に複数生成される。
【０２８８】
ステップＳ２５６において、進行制御部３１１は、クロス組合せ画像の途中経過の確認画面をタッチパネルモニタ９３に表示し、クロス組合せ画像の生成過程を利用者に確認させる。
【０２８９】
図４３は、このときタッチパネルモニタ９３に表示される確認画面の表示例を示している。図４３の確認画面は、生成途中のクロス組合せ画像が表示される撮影結果表示領域７６１Ｌおよび７６１Ｒから構成されている。
【０２９０】
撮影結果表示領域７６１Ｌに表示されるクロス組合せ画像は、図４１の撮影結果表示領域７４１Ｌに表示されているクロス組合せ画像から、右上のアップ画像を除いた画像となる。同様に、撮影結果表示領域７６１Ｒに表示されるクロス組合せ画像は、図４１の撮影結果表示領域７４１Ｒに表示されているクロス組合せ画像から、右上のアップ画像を除いた画像となる。
【０２９１】
その後、ステップＳ２５７乃至Ｓ２５９の処理が行われた後、ステップＳ２６０において、合成処理部３２０は、アップ画像を合成する。具体的には、合成処理部３２０は、ステップＳ２５９の処理で取得した上カメラアップ撮影画像から各被写体の顔付近の画像を個別にトリミング（抽出）する。そして、合成処理部３２０は、ステップＳ２５５の処理で生成した各クロス組合せ画像に、全身画像と同じ利用者の顔付近のアップ画像を合成することにより、クロス組合せ画像を完成させる。
【０２９２】
なお、全身画像とアップ画像が同一人物のものであるか否かの判定には、任意の手法を採用することができる。例えば、全身画像の顔付近の画像およびアップ画像から所定の特徴量を抽出し、抽出した特徴量の差が所定の閾値以下である場合、同一人物であると判定することが可能である。
【０２９３】
ステップＳ２６１において、図３６のステップＳ２０９と同様の処理が行われ、例えば、上述した図４１に示される確認画面が、タッチパネルモニタ９３に表示される。
【０２９４】
このようにして、撮影画像が撮影される毎に、撮影画像から各利用者の画像がトリミング（抽出）され、抽出された画像がそれぞれ対応するクロス組合せ画像に合成されることにより、各クロス組合せ画像が更新される。また、クロス組合せ画像が更新される毎に、更新された各クロス組合せ画像がタッチパネルモニタ９３に表示される。従って、利用者は、クロス組合せ撮影を行いながら、全身画像、アップ画像の順に画像が組み合わされていく過程を確認することができる。
【０２９５】
［編集処理］
次に、図４４のフローチャートを参照して、図１８のステップＳ４の編集処理の詳細について説明する。
【０２９６】
ステップＳ３０１において、進行処理部３５１は、撮影処理を終えた利用者の移動先の編集空間（移動先編集空間）の編集部２０９を制御し、タブレット内蔵モニタ１３１に開始画面を表示させる。具体的には、編集処理の開始前には、移動先編集空間のタブレット内蔵モニタ１３１には所定のデモンストレーション画面が表示されている。そして、進行処理部３５１は、図１８のステップＳ３の処理の後、移動先編集空間の編集部２０９を制御し、編集処理の開始を通知するための開始画面をタブレット内蔵モニタ１３１に表示させる。
【０２９７】
なお、以下、特に断りのない限り、この処理において、編集部２０９、並びに、その内部のタブレット内蔵モニタ１３１、タッチペン１３２Ａ，１３２Ｂ、および、スピーカ２３１は、移動先編集空間のものを指すものとする。
【０２９８】
ステップＳ３０２において、編集処理部３０２は、目のサイズおよび明るさの選択を受け付ける。具体的には、編集画面表示制御部３５４は、編集部２０９を制御し、例えば、図４５に示す選択画面をタブレット内蔵モニタ１３１に表示させる。
【０２９９】
この選択画面には、撮影画像８０１−１乃至撮影画像８０１−６が、上側に並べられて表示されている。これらの撮影画像は、図１８のステップＳ２の撮影処理においてカメラ９１により撮影されて得られた、何も加工されていない画像（標準撮影画像）である。
【０３００】
なお、ペナルティ撮影が行われた場合、すなわち、ボーナス撮影が行われず５枚の標準撮影画像が得られている場合、撮影画像８０１−５と撮影画像８０１−６として、図２０のステップＳ４５の処理で得られた上カメラ全身撮影画像が表示される。すなわち、撮影画像８０１−５と撮影画像８０１−６が同じ画像になる。
【０３０１】
選択画面の中央のやや下側には、３つの目サイズ選択ボタン８０２−１乃至目サイズ選択ボタン８０２−３が横方向に並べられて表示されている。
【０３０２】
目サイズ選択ボタン８０２−１には、目のサイズが自然な大きさのモデルの目の画像が表示され、目サイズ選択ボタン８０２−２には、目のサイズが若干大きな（例えば、自然な大きさよりも１割程度大きな）モデルの目の画像が表示されている。また、目サイズ選択ボタン８０２−３には、目のサイズが比較的大きな（例えば、自然な大きさよりも２割程度大きな）モデルの目の画像が表示されている。
【０３０３】
利用者は、目サイズ選択ボタン８０２−１乃至目サイズ選択ボタン８０２−３を選択することで、目のサイズを選択することができる。なお、以下、目サイズ選択ボタン８０２−１乃至目サイズ選択ボタン８０２−３を特に区別する必要のない場合、単に目サイズ選択ボタン８０２とも称する。
【０３０４】
また、選択画面の下側には、５つの明るさ選択ボタン８０３−１乃至明るさ選択ボタン８０３−５が横方向に並べられて表示されている。明るさ選択ボタン８０３−１乃至明るさ選択ボタン８０３−５には、明るさの異なるモデルがそれぞれ表示されている。
【０３０５】
利用者は、明るさ選択ボタン８０３−１乃至明るさ選択ボタン８０３−５の何れかを選択することで、被写体の明るさを選択することができる。なお、以下、明るさ選択ボタン８０３−１乃至明るさ選択ボタン８０３−５を特に区別する必要のない場合、単に明るさ選択ボタン８０３とも称する。
【０３０６】
さらに、選択画面の右下側には、被写体の目のサイズと明るさを決定するときに操作される決定ボタン８０４が表示されている。この決定ボタン８０４が操作されると、撮影画像８０１−１乃至撮影画像８０１−６に写っている利用者の目のサイズと明るさが、一括して変更される。すなわち、撮影画像上の被写体の目のサイズと明るさが、選択された目サイズ選択ボタン８０２により定められた目のサイズ、および選択された明るさ選択ボタン８０３により定められた明るさに変更される。
【０３０７】
利用者は、タッチペン１３２Ａまたはタッチペン１３２Ｂを用いて、図４５の選択画面が表示されたタブレット内蔵モニタ１３１に対する操作を行い、各撮影画像の目の大きさおよび明るさを選択する。また、利用者によって、この選択画面に対する操作が行われると、タブレット内蔵モニタ１３１から入力受付制御部３５３に、利用者の操作に応じた情報が供給される。さらに、落書き編集処理部３５５は、利用者の操作に応じて、各撮影画像の目のサイズおよび明るさを変更する。
【０３０８】
そして、選択処理が終了すると、処理はステップＳ３０３に進む。
【０３０９】
ステップＳ３０３において、進行制御部３５１は、クロス組合せ撮影を行ったか否かを判定し、クロス組合せ撮影を行ったと判定した場合、処理はステップＳ３０４に進む。
【０３１０】
ステップＳ３０４において、編集処理部３０２は、画像の選択を受け付ける。具体的には、編集画面表示制御部３５４は、編集部２０９を制御し、例えば、図４６に示す選択画面をタブレット内蔵モニタ１３１に表示させる。
【０３１１】
この選択画面は、基本的に、同じ構成の画面が左右に対称に並べて配置されることによって構成される。例えば、タブレット内蔵モニタ１３１に対して左側に立っている利用者（以下、左側利用者と称する）は、タッチペン１３２Ａを用いて選択画面の左半分において自分の画像の選択を行い、右側に立っている利用者（以下、右側利用者と称する）は、タッチペン１３２Ｂを用いて編集画面の右半分において自分の画像の選択を行うことになる。
【０３１２】
選択画面の左側の上方には画像選択部８２１Ｌが配置されている。画像選択部８２１Ｌ内には、上述したクロス組合せ撮影において得られた２人の利用者のアップ画像が、それぞれ画像８２２Ｌ−１および画像８２２Ｌ−２として左右に並べて表示されている。
【０３１３】
一方、選択画面の右側の上方には画像選択部８２１Ｒが配置されている。画像選択部８２１Ｒ内には、画像選択部８２１Ｌ内の画像８２２Ｌ−１と同じ画像である画像８２２Ｒ−１、および、画像８２２Ｌ−２と同じ画像である画像８２２Ｒ−２が左右に並べて表示されている。
【０３１４】
利用者は、タッチペン１３２Ａまたはタッチペン１３２Ｂを用いて、図４６の選択画面が表示されたタブレット内蔵モニタ１３１に対する操作を行い、自分の画像を選択する。例えば、左側利用者は、タッチペン１３２Ａを操作して、画像８２２Ｌ−１または画像８２２Ｌ−２から自分の画像を選択する。一方、右側利用者は、タッチペン１３２Ｂを操作して、画像８２２Ｒ−１または画像８２２Ｒ−２から自分の画像を選択する。また、利用者によって、この選択画面に対する操作が行われると、タブレット内蔵モニタ１３１から入力受付制御部３５３に、利用者の操作に応じた情報が供給される。
【０３１５】
なお、画像選択部８２１Ｌまたは画像選択部８２１Ｒのいずれか一方において画像が選択されると、他方の画像選択部において、選択された画像と異なる方の画像が自動的に選択される。また、所定の時間内に画像の選択が行われなかった場合、画像選択部８２１Ｌにおいて左側の画像８２２Ｌ−１が自動的に選択され、画像選択部８２１Ｒにおいて右側の画像８２２Ｒ−２が自動的に選択される。
【０３１６】
画像選択部８２１Ｌにおいて選択された画像は、次の処理で名前入力部８４１Ｌにおいて入力される名前と対応付けられ、画像選択部８２１Ｒにおいて選択された画像は、次の処理で名前入力部８４１Ｒにおいて入力される名前と対応付けられる。すなわち、この選択画面で画像の選択を行うことにより、利用者の画像と名前の対応関係が入力される。
【０３１７】
なお、画像８２２Ｌ−１乃至８２２Ｒ−２に、利用者のアップ画像の代わりに、クロス組合せ撮影において得られた利用者の全身画像を用いるようにしてもよい。
【０３１８】
そして、選択処理が終了すると、処理はステップＳ３０５に進む。
【０３１９】
ステップＳ３０５において、編集処理部３０２は、名前の入力を受け付ける。具体的には、編集画面表示制御部３５４は、編集部２０９を制御し、例えば、図４７に示す名前入力画面をタブレット内蔵モニタ１３１に表示させる。
【０３２０】
この名前入力画面は、基本的に、同じ構成の画面が左右に対称に並べて配置されることによって構成される。例えば、左側利用者は、タッチペン１３２Ａを用いて名前入力画面の左半分において自分の名前の入力を行い、右側利用者は、タッチペン１３２Ｂを用いて名前入力画面の右半分において自分の名前の入力を行うことになる。
【０３２１】
具体的には、名前入力画面の左側の上方には、図４６の選択画面と同様に、画像選択部８２１Ｌが配置されている。同様に、名前入力画面の右側の上方には、図４６の選択画面と同様に、画像選択部８２１Ｒが配置されている。従って、利用者は、図４６の選択画面で自分の画像を選択した後も、この名前入力画面において自分の画像を再選択することができる。
【０３２２】
画像選択部８２１Ｌの下方には、名前入力部８４１Ｌが配置されている。名前入力部８４１Ｌの上方には、ひらがな入力で入力された文字（名前）を表示する名前表示部８４２Ｌが表示される。名前表示部８４２Ｌの右側には、名前表示部８４２Ｌに表示されている文字の最後の一文字を消去するひとつ戻るボタン８４３Ｌ、その右に、名前表示部８４２Ｌに表示されている全ての文字を消去する全部消すボタン８４４Ｌが表示される。
【０３２３】
そして、名前表示部８４２Ｌの下側には、ひらがなの各文字を入力する際に押下されるひらがな文字入力部８４５Ｌ、その下側に名前入力を決定するときに操作される決定ボタン８４６Ｌ、および名前入力を中止するキャンセルボタン８４７Ｌが表示される。
【０３２４】
画像選択部８２１Ｒの下方には、名前入力部８４１Ｌと同様の構成を有する名前入力部８４１Ｒが配置されている。
【０３２５】
利用者は、タッチペン１３２Ａまたはタッチペン１３２Ｂを用いて、図４７の名前入力画面が表示されたタブレット内蔵モニタ１３１に対する操作を行い、自分の名前やニックネーム等を入力する。例えば、左側利用者は、タッチペン１３２Ａを用いて、ひらがな文字入力部８４５Ｌを操作して、自分の名前やニックネーム等を入力する。同様に、右側利用者は、タッチペン１３２Ｂを用いて、ひらがな文字入力部８４５Ｒを操作して、自分の名前やニックネーム等を入力する。また、利用者によって、この名前入力画面に対する操作が行なわれると、タブレット内蔵モニタ１３１から入力受付制御部３５３に、利用者の操作に応じた情報が供給される。
【０３２６】
なお、この名前入力画面により入力された名前は、例えば、「お名前スタンプ」と称される編集ツールや「お名前フレーム」と称される編集ツールに用いられる。
【０３２７】
また、画像選択部８２１Ｌで選択された画像と名前入力部８４１Ｌで入力された名前が対応付けられ、選択された画像を含むクロス組合せ画像の前景または背景に、対応付けられた名前を示す画像が合成される。同様に、画像選択部８２１Ｒで選択された画像と名前入力部８４１Ｒで入力された名前が対応付けられ、選択された画像を含むクロス組合せ画像の前景または背景に、対応付けられた名前を示す画像が合成される。
【０３２８】
そして、名前入力処理が終了すると、処理はステップＳ３０７に進む。
【０３２９】
一方、ステップＳ３０３において、クロス組合せ撮影を行なっていないと判定された場合、処理はステップＳ３０６に進む。
【０３３０】
ステップＳ３０６において、編集処理部３０２は、名前の入力を受け付ける。具体的には、編集画面表示制御部３５４は、編集部２０９を制御し、例えば、図４８に示す名前入力画面をタブレット内蔵モニタ１３１に表示させる。
【０３３１】
図４８の名前入力画面は、図４７の名前入力画面から画像選択部８２１Ｌおよび画像選択部８２１Ｒを削除した画面構成となっている。すなわち、クロス組合せ撮影が行われていないため、この名前入力画面では、画像の選択は行われずに、名前の入力だけが行われる。
【０３３２】
そして、名前入力処理が終了すると、処理はステップＳ３０７に進む。
【０３３３】
ステップＳ３０７において、進行制御部３５１は、編集部２０９を制御し、撮影画像に合成する合成用画像の選択を行う旨のガイダンス画面をタブレット内蔵モニタ１３１に表示させる。
【０３３４】
ステップＳ３０８において、編集処理部３０２は、背景色の選択を受け付ける。具体的には、編集画面表示制御部３５４は、編集部２０９を制御し、例えば、図４９に示す背景色選択画面をタブレット内蔵モニタ１３１に表示させる。
【０３３５】
この背景色選択画面には、背景色選択領域８６１および背景色選択領域８６２が、左右に並べて表示されている。
【０３３６】
利用者は、タッチペン１３２Ａまたはタッチペン１３２Ｂを用いて、図４９の選択画面が表示されたタブレット内蔵モニタ１３１に対する操作を行い、背景色を選択することができる。すなわち、利用者は、タッチペン１３２Ａまたはタッチペン１３２Ｂを用いて、背景色選択画面の背景色選択領域８６１または背景色選択領域８６２の何れかを選択することで、合成用画像に用いる背景色を選択することができる。具体的には、背景色選択領域８６１を選択すると、合成用画像をくっきりしたビビッドな色味に設定することができ、背景色選択領域８６２を選択すると、合成用画像をふんわりしたパステル調の色味に設定することができる。また、利用者によって、この選択画面に対する操作が行われると、タブレット内蔵モニタ１３１から入力受付制御部３５３に、利用者の操作に応じた情報が供給される。
【０３３７】
そして、背景色の選択処理が終了すると、処理はステップＳ３０９に進む。
【０３３８】
ステップＳ３０９において、編集処理部３０２は、合成用画像の選択を受け付ける。具体的には、編集画面表示制御部３５４は、編集部２０９を制御し、例えば、図５０に示す合成用画像選択画面をタブレット内蔵モニタ１３１に表示させる。
【０３３９】
合成用画像選択画面には、合成用画像の分類ボタンの表示領域８８１、撮影合成画像の表示領域８８２、および、撮影画像および撮影合成画像の表示領域８８３が配置されている。合成用画像の分類ボタンの表示領域８８１には、ノーマルボタン８８４、柄ボタン８８５、およびセットボタン８８６が表示されている。図５０の例では、黒色で反転表示されているノーマルボタン８８４が選択されている状態が示されている。
【０３４０】
ノーマルボタン８８４および柄ボタン８８５は、予め用意された複数の合成用画像の中から、利用者が、所望の合成用画像を選択するときに操作される。ノーマルボタン８８４を選択することにより、各種の色からなる合成用画像の中から所望の合成用画像を選択することができる。また、柄ボタン８８５を選択することにより、各種の柄からなる合成用画像の中から所望の合成用画像を選択することができる。
【０３４１】
セットボタン８８６は、複数の合成用画像のセットの中から、利用者が所望の合成用画像のセットを選択するときに操作される。合成用画像のセットは、例えば、各種の色および柄からなる複数種類の合成用画像の中から、撮影枚数（６枚）に従って、任意の種類の合成用画像が組み合わされて、予め用意されている。
【０３４２】
撮影合成画像の表示領域８８２には、複数の撮影合成画像が表示される。撮影合成画像は、撮影画像の被写体と合成用画像とが一括で合成された画像である。また、撮影合成画像の表示領域８８２には、ノーマルボタン８８４、柄ボタン８８５、およびセットボタン８８６の選択に応じて分類された合成用画像が合成された撮影合成画像が表示される。図５０の例では、ノーマルボタン８８４が選択されており、各種の色からなる合成用画像が、撮影画像の被写体である利用者自身の背景として合成された２７枚（３行×９列）の撮影合成画像が示されている。
【０３４３】
例えば、利用者が、撮影合成画像の表示領域８８２に表示されている複数の撮影合成画像の中から、任意の撮影合成画像を選択すると、その撮影合成画像に合成されている合成用画像が選択される。そして、利用者により選択された撮影合成画像には、既に選択されたことを示唆する「済」のマークが表示される。また、直前に選択された撮影合成画像には、利用者が選択したばかりであることを示唆する「SELECT」の文字が表示される。
【０３４４】
撮影画像および撮影合成画像の表示領域８８３には、撮影合成画像８８７および撮影画像８８８が表示される。図５０の例では、撮影画像および撮影合成画像の表示領域８８３には、４枚の撮影合成画像８８７−１乃至８８７−４、並びに、２枚の撮影画像８８８−５および８８８−６が表示されている。また、撮影合成画像８８７−１乃至８８７−４の下方には、キャンセルボタン８８９−１乃至８８９−４がそれぞれ表示されている。
【０３４５】
例えば、合成用画像の選択画面が最初に表示されたときには、撮影画像および撮影合成画像の表示領域８８３には、標準撮影画像に対応する６枚の撮影画像８８８が、左から撮影された順に表示される。また、撮影画像８８８は、上述したステップＳ３０２の処理により、被写体の目のサイズと明るさが変更された画像となる。
【０３４６】
なお、ペナルティ撮影が行われた場合、すなわち、ボーナス撮影が行われず５枚の標準撮影画像が得られた場合には、図２０のステップＳ４５の処理で得られた上カメラ全身撮影画像が、撮影画像８８８−５と撮影画像８８８−６として表示される。すなわち、撮影画像８８８−５と撮影画像８８８−６が同じ画像になる。
【０３４７】
そして、利用者が、１枚目の撮影画像８８８に対して、撮影合成画像の表示領域８８２に表示されている複数の撮影合成画像の中から、所望の撮影合成画像を選択することにより、その撮影合成画像に合成されている合成用画像が選択される。これに従って、１枚目の撮影画像８８８の表示が、利用者により選択された撮影合成画像８８７−１に更新される。すなわち、１枚目の撮影画像８８８に替えて、１枚目の撮影画像８８８の被写体の背景に、利用者により選択された合成用画像が合成された撮影合成画像８８７−１が表示される。さらに、撮影合成画像８８７−１の下方に、キャンセルボタン８８９−１が表示される。
【０３４８】
以下、同様に、利用者が、２枚目の撮影画像８８８、３枚目の撮影画像８８８、および４枚目の撮影画像８８８に対して合成用画像を順番に選択すると、その選択に従って、撮影合成画像８８７−２乃至８８７−４がそれぞれ表示される。さらに、撮影合成画像８８７−２乃至８８７−４の下方に、キャンセルボタン８８９−２乃至８８９−４がそれぞれ表示される。このキャンセルボタン８８９を操作することで、その上方に表示されている撮影合成画像８８７に合成されている合成用画像の選択をキャンセルして、合成用画像を選び直すことができる。
【０３４９】
このように、図５０には、４枚目の撮影画像８８８に対して合成用画像が選択されて、撮影合成画像８８７−４が表示された時点での合成用画像の選択画面が示されている。
【０３５０】
従って、この合成用画像の選択画面では、撮影画像８８８−５に対する合成用画像の選択が行われる。そのことを示唆するため、撮影画像８８８−５を囲うようにカーソルＣが表示されるとともに、撮影画像および撮影合成画像の表示領域８８３の上方に「５枚目の背景を選んでね！」という文字が表示される。
【０３５１】
撮影合成画像の表示領域８８２の右側には、人を消すボタン８９０が表示されている。人を消すボタン８９０は、撮影合成画像の表示領域８８２に表示されている撮影合成画像を、被写体が合成されていない状態に表示を変更する際に、即ち、撮影合成画像の表示領域８８２の表示を合成用画像とする際に操作される。例えば、通常、撮影合成画像の表示領域８８２には、撮影画像の被写体と合成用画像とが合成された撮影合成画像が表示されるが、被写体によって合成用画像の色や柄を確認し難い場合があると想定される。そのような場合には、利用者が人を消すボタン８９０を操作することで、撮影合成画像の表示領域８８２には合成用画像（すなわち、背景のみ）が表示されることになり、利用者が、合成用画像の色や柄を確認し易くなる。
【０３５２】
また、人を消すボタン８９０が操作されて、撮影合成画像の表示領域８８２に合成用画像が表示されるのと同時に、人を消すボタン８９０に表示されていた文字は「人を表示する」に変更される。そして、撮影合成画像の表示領域８８２の表示が合成用画像であるときに、利用者が人を消すボタン８９０を操作すると、撮影合成画像の表示領域８８２が元に戻り、図５０に示すように、被写体の背景に合成用画像が合成された撮影合成画像が表示される。
【０３５３】
利用者は、タッチペン１３２Ａまたはタッチペン１３２Ｂを用いて、図５０の選択画面が表示されたタブレット内蔵モニタ１３１に対する操作を行い、各撮影画像に合成する合成用画像を選択する。また、利用者によって、この選択画面に対する操作が行われると、タブレット内蔵モニタ１３１から入力受付制御部３５３に、利用者の操作に応じた情報が供給される。さらに、落書き編集処理部３５５は、利用者の操作に応じて、各撮影画像に選択された合成用画像を合成し、６枚の撮影合成画像を生成する。なお、ペナルティ撮影が行われた場合には、５枚目と６枚目の撮影合成画像は、同一の撮影画像（上カメラ全身撮影画像）に、異なる合成用画像を合成した画像となる。
【０３５４】
そして、合成用画像の選択処理が終了すると、処理はステップＳ３１０に進む。
【０３５５】
ステップＳ３１０において、編集処理部３０２は、画像の編集を受け付ける。具体的には、編集画面表示制御部３５４は、編集部２０９を制御し、例えば、図５１に示す編集画面をタブレット内蔵モニタ１３１に表示させる。
【０３５６】
この編集画面は、基本的に、同じ構成の画面が左右に対称に並べて配置されることによって構成される。例えば、左側利用者は、タッチペン１３２Ａを用いて編集画面の左半分において撮影合成画像の編集を行い、右側利用者は、左側利用者による編集と並行して、タッチペン１３２Ｂを用いて編集画面の右半分において撮影合成画像の編集を行うことになる。
【０３５７】
編集画面の左側の上方には画像選択部９０３Ｌが配置されており、ステップＳ３１０の処理で生成された６枚の撮影合成画像が、左から撮影順に横に並べて表示される。なお、ペナルティ撮影が行われた場合には、右から２枚目の撮影合成画像と右端の撮影合成画像は、同じ撮影画像（上カメラ全身撮影画像）に基づいて生成された撮影合成画像となる。
【０３５８】
画像選択部９０３Ｌの下に形成された編集対象画像表示部９０１Ｌには、画像選択部９０３Ｌから選択された撮影合成画像が拡大して表示される。図５１の例においては、６枚の撮影合成画像のうち、右から２枚目の撮影合成画像が編集対象としてカーソルＣ１によって選択されている。また、右端の撮影合成画像がカーソルＣ２によって選択されている。画像選択部９０３ＬにおいてカーソルＣ２によって選択されていることは、６枚の撮影合成画像のうちの右端の撮影合成画像が編集画面の右側において編集対象とされており、それと同じ画像を左側において編集対象として選択できないことを表す。
【０３５９】
同様に、編集画面の右側の上方に画像選択部９０３Ｒが配置されており、画像選択部９０３Ｒには、画像選択部９０３Ｌに表示されている画像と同じ６枚の撮影合成画像が同じ並びで表示される。画像選択部９０３Ｒにおいては、６枚の撮影合成画像のうち、右端の撮影合成画像が編集対象としてカーソルＣ２によって選択されている。
【０３６０】
また、右から２枚目の撮影合成画像がカーソルＣ１によって選択されている。画像選択部９０３ＲにおいてカーソルＣ１によって選択されていることは、６枚の撮影合成画像のうちの左端の撮影合成画像が編集画面の左側において編集対象とされており、それと同じ画像を右側において編集対象として選択できないことを表す。すなわち、編集画面においては、左右の一方の画面で編集対象として選択されている画像は、他方の画面で編集対象として選択不可となる。
【０３６１】
編集対象画像表示部９０１Ｌの下にはコンテンツパレット９０２Ｌが表示される。コンテンツパレット９０２Ｌには手書き画像を入力するときに選択されるペンツール、スタンプ画像を入力するときに選択されるスタンプツールなどの各種の編集ツールのタブが表示されており、タブを選択することによって、編集ツールを切り替えることができるようになされている。利用者は、コンテンツパレット９０２Ｌから編集ツールを選択し、編集対象画像表示部９０１Ｌに表示されている編集対象の撮影合成画像に文字や絵柄などを入力することができる。
【０３６２】
編集対象画像表示部９０１Ｌの右側には、各種のボタンが表示されるボタン表示部９０４Ｌが表示される。図５１の例においては、撮影合成画像の編集を終了するときに操作される終了ボタン、編集対象画像表示部９０１Ｌに入力した画像を部分的に消去するときに用いられる消しゴムボタン、編集をはじめからやり直すときに操作されるボタン、１セット前に戻るときに操作されるボタン、編集の内容を一操作後の状態に戻すときに操作されるボタン、および、編集の内容を一操作前の状態に戻すときに操作されるボタンがボタン表示部９０４Ｌに表示されている。
【０３６３】
編集画面の右側には、左側に表示される編集対象画像表示部９０１Ｌ、コンテンツパレット９０２Ｌ、画像選択部９０３Ｌ、およびボタン表示部９０４Ｌに対応して、編集対象画像表示部９０１Ｒ、コンテンツパレット９０２Ｒ、画像選択部９０３Ｒ、およびボタン表示部９０４Ｒが表示される。
【０３６４】
また、編集画面の中央には、BGMの選択に用いられるGUI等が表示される。
【０３６５】
利用者は、タッチペン１３２Ａまたはタッチペン１３２Ｂを用いて、図５１の編集画面が表示されたタブレット内蔵モニタ１３１に対する操作を行い、各撮影合成画像の編集を行う。例えば、左側利用者は、タッチペン１３２Ａを操作して、スタンプツールやペンツールなどの編集ツールを用いて、編集対象画像表示部９０１Ｌに表示されている撮影合成画像に落書きする。一方、右側利用者は、タッチペン１３２Ｂを操作して、スタンプツールやペンツールなどの編集ツールを用いて、編集対象画像表示部９０１Ｒに表示されている撮影合成画像に落書きする。
【０３６６】
また、利用者によって、この編集画面に対する操作が行なわれると、タブレット内蔵モニタ１３１から入力受付制御部３５３に、利用者の操作に応じた情報が供給される。さらに、落書き編集処理部３５５は、利用者の操作に応じて、撮影合成画像に入力された落書きを合成する。
【０３６７】
これにより、各撮影合成画像に編集を施した６枚の編集済み画像が生成される。
【０３６８】
そして、編集処理が終了すると、処理はステップＳ３１１に進む。
【０３６９】
なお、以下、下カメラアップ撮影画像から生成された編集済み画像を下カメラアップ編集画像と称する。また、以下、上カメラアップ撮影画像から生成された編集済み画像を上カメラアップ編集画像と称する。さらに、以下、上カメラ全身撮影画像から生成された編集済み画像を上カメラ全身編集画像と称する。また、以下、ボーナス撮影画像から生成された編集済み画像をボーナス編集画像と称する。
【０３７０】
なお、ペナルティ撮影が行われた場合、上述したように、同じ上カメラ全身画像に対して異なる編集入力を行うことができるため、合計２枚の上カメラ全身編集画像が生成される。これらの上カメラ全身編集画像を個々に区別する必要がある場合、５枚目の編集済み画像となる上カメラ全身編集画像を上カメラ全身編集画像Ａと称し、６枚目の編集済み画像となる上カメラ全身編集画像を上カメラ全身編集画像Ｂと称する。
【０３７１】
ステップＳ３１１において、編集処理部３０２は、分割パターンの選択を受け付ける。具体的には、編集画面表示制御部３５４は、編集部２０９を制御し、複数の分割パターンをタブレット内蔵モニタ１３１に表示させ、利用者にいずれか１つを選択させる。ここで、分割パターンとは、編集済み画像をシール紙に印刷するレイアウトを示すものである。
【０３７２】
図５２および図５３は、分割パターンの種類の例を示している。図５２は、通常撮影が行われた場合の分割パターンの例を示しており、図５３は、ペナルティ撮影が行われた場合の分割パターンの例を示している。
【０３７３】
通常撮影が行われた場合、利用者は、例えば、図５２のパターン１Ａ乃至パターン３Ａのいずれかの分割パターンを選択することができる。
【０３７４】
パターン１Ａでは、６枚の編集済み画像９３１Ａ−１乃至９３１Ａ−６が、縦３行×横２列に並べて配置されている。なお、編集済み画像９３１Ａ−１乃至９３１Ａ−３が下カメラアップ編集画像に対応し、編集済み画像９３１Ａ−４が上カメラアップ編集画像に対応し、編集済み画像９３１Ａ−５が上カメラ全身編集画像に対応し、編集済み画像９３１Ａ−６がボーナス編集画像に対応する。
【０３７５】
パターン２Ａでは、６枚の編集済み画像９４１Ａ−１乃至９４１Ａ−６が、パターン１Ａよりも小さなサイズで、縦３行×横２列に並べて配置されている。なお、編集済み画像９４１Ａ−１乃至９４１Ａ−３が下カメラアップ編集画像に対応し、編集済み画像９４１Ａ−４が上カメラアップ編集画像に対応し、編集済み画像９４１Ａ−５が上カメラ全身編集画像に対応し、編集済み画像９４１Ａ−６がボーナス編集画像に対応する。さらに、パターン２Ａでは、編集済み画像９４１Ａ−１乃至９４１Ａ−６の上に、６枚の編集済み画像の中から選択された１枚の編集済み画像９４２Ａが配置されている。編集済み画像９４２Ａのサイズは、編集済み画像９４１Ａ−１乃至９４１Ａ−６より大きなサイズに設定されている。
【０３７６】
パターン３Ａでは、６枚の編集済み画像９５１Ａ−１乃至９５１Ａ−６が、パターン１Ａよりも小さなサイズで、縦３行×横２列に並べて配置されている。さらにその下に、編集済み画像９５２Ａ−１乃至９５２Ａ−６が、編集済み画像９５１Ａ−１乃至９５１Ａ−６よりも小さなサイズで、縦２行×横３列に並べて配置されている。なお、編集済み画像９５１Ａ−１乃至９５１Ａ−３および編集済み画像９５２Ａ−１乃至９５２Ａ−３が下カメラアップ編集画像に対応し、編集済み画像９５１Ａ−４および編集済み画像９５２Ａ−４が上カメラアップ編集画像に対応し、編集済み画像９５１Ａ−５および編集済み画像９５２Ａ−５が上カメラ全身編集画像に対応し、編集済み画像９５１Ａ−６および編集済み画像９５２Ａ−６がボーナス編集画像に対応する。
【０３７７】
なお、各分割パターンにおいて、例えば、被写体のアップが写っている下カメラアップ編集画像および上カメラアップ編集画像の縦横比は、１．２：１に設定され、被写体の全身が写っている上カメラ全身編集画像およびボーナス編集画像の縦横比は、例えば、４：３に設定される。ただし、各画像の縦横比は、その一例であり、例えば、全ての画像の縦横比を同じ値に設定するようにしてもよい。
【０３７８】
一方、ペナルティ撮影が行われた場合、利用者は、例えば、図５３のパターン１Ｂ乃至パターン３Ｂのいずれかの分割パターンを選択することができる。
【０３７９】
パターン１Ｂでは、図５２のパターン１Ａと基本的に同じレイアウトで編集済み画像が配置されている。ただし、編集済み画像９３１Ｂ−１乃至９３１Ｂ−５は、図５２のパターン１Ａにおける編集済み画像９３１Ａ−１乃至９３１Ａ−５と同じであるが、編集済み画像９３１Ａ−６がボーナス編集画像であるのに対し、編集済み画像９３１Ｂ−６は上カメラ全身編集画像Ｂとなる。
【０３８０】
パターン２Ｂでは、図５２のパターン２Ａと基本的に同じレイアウトで編集済み画像が配置されている。ただし、パターン１Ｂと同様に、編集済み画像９４１Ｂ−６は、パターン２Ａの編集済み画像９４１Ａ−６と異なり、上カメラ全身編集画像Ｂとなる。
【０３８１】
パターン３Ｂでは、図５２のパターン３Ａと基本的に同じレイアウトで編集済み画像が配置されている。ただし、パターン１Ｂと同様に、編集済み画像９５１Ｂ−６および編集済み画像９５２Ｂ−６は、パターン３Ａの編集済み画像９５１Ａ−６および編集済み画像９５２Ａ−６と異なり、上カメラ全身編集画像Ｂとなる。
【０３８２】
すなわち、パターン１Ｂ乃至パターン３Ｂでは、同じ上カメラ全身撮影画像から生成された編集済み画像が、１枚のシール紙に複数配置される。
【０３８３】
このような分割パターンを選択するための選択画面がタブレット内蔵モニタ１３１に表示されると、利用者はタブレット内蔵モニタ１３１に対する操作を行い、分割パターンを選択する。また、利用者によって、選択操作が行なわれると、タブレット内蔵モニタ１３１から編集処理部３０２に、利用者の操作に応じた情報が供給される。
【０３８４】
そして、選択処理が終了すると、編集処理は終了され、処理は図１８のステップＳ４に戻る。
【０３８５】
そして、上述した図１８のステップＳ６の処理において、利用者により選択された分割パターンに基づいて、各編集済み画像がシール紙に印刷される。
【０３８６】
上述したように、この編集処理においては、編集対象画像の選択を行うことなく、クロス組合せ画像を除く全ての標準撮影画像が、編集対象となり、最終的にシール紙に印刷される。従って、編集処理に要する時間を短縮することができる。また、常に写真シール作成装置１で用意した最適なレイアウトで編集済み画像がシール紙に印刷されるため、見栄えがよいシール紙を提供することができる。さらに、利用者は、後で編集対象画像を選択することができないため、より良い撮影画像が得られるように１回１回の撮影に集中するようになり、各画像の完成度が向上する。その結果、シール紙の出来上がりに対する利用者の満足度が向上する。
【０３８７】
また、通常撮影とペナルティ撮影とでは、得られる撮影画像（標準撮影画像）の枚数が異なるが、上述したように、同じ撮影画像に対して複数の異なる編集入力を可能にすることで、編集入力が可能な撮影画像の合計数は同じになる。そして、ペナルティ撮影時に同じ撮影画像（から生成された編集済み画像）をシール紙に複数配置することにより、通常撮影時とペナルティ撮影時で１枚のシール紙に印刷される撮影画像の枚数は同じになる。従って、通常撮影時とペネルティ撮影時とで、シール紙のレイアウトを共通にすることができ、ペナルティ撮影時にも、通常撮影時と同様に、利用者の満足度が高いシール紙を提供することができる。
【０３８８】
さらに、ペナルティ撮影が行われた場合、同じ撮影画像に対して異なる編集入力を行うことができ、その結果、同じ被写体に対して編集効果が異なる２枚の画像を得ることができるという効果が得られる。
【０３８９】
以下、上述した本発明の実施の形態の変形例について説明する。
【０３９０】
［クロス組合せ撮影処理に関する変形例］
以上の説明では、全身画像と顔付近のアップ画像を組み合わせたクロス組合せ画像を生成する例を示したが、画像の組合せは、この例に限定されるものではない。
【０３９１】
例えば、同じ利用者の２以上の全身画像を組み合わせるようにしてもよい。この場合、例えば、前と後ろや前と横など異なる方向から同じ利用者を撮影した複数の全身画像を、１枚のクロス組合せ画像に合成することができる。
【０３９２】
また、例えば、同じ利用者の２以上の顔のアップ画像を組み合わせるようにしてもよい。この場合、例えば、同じ利用者の表情が異なる複数のアップ画像を、１枚のクロス組合せ画像に合成することができる。
【０３９３】
さらに、アップ画像の対象は、必ずしも顔に限定されるものではなく、例えば、利用者のファッションのコーディネートのポイント等の顔と異なる部分をアップ画像の対象に設定するようにしてもよい。また、この場合、例えば、利用者がアップにしたい部分を指定できるようにしてもよい。そして、このような顔以外の部分のアップ画像を使用してクロス組合せ画像を生成するようにしてもよい。
【０３９４】
さらに、３枚以上の撮影画像からそれぞれ同じ利用者の画像を抽出し、組合せることにより、クロス組合せ画像を生成するようにしてもよい。すなわち、この場合、１枚のクロス組合せ画像において、同じ利用者の画像が３種類以上組み合わせられるようになる。また、例えば、３種類以上の利用者の画像の中から、クロス組合せ画像に用いる画像を選択できるようにしてもよい。
【０３９５】
また、３人以上の利用者を複数回撮影して、利用者毎にそれぞれ個別にクロス組合せ画像を生成できるようにしてもよい。例えば、３人の利用者Ａ乃至Ｃを複数回撮影し、利用者毎に３枚のクロス組合せ画像を生成できるようにしてもよい。この場合、図３７や図４０のライブビュー表示画面において、各利用者をそれぞれ異なるライブビュー表示領域に表示するようにするのが望ましい。
【０３９６】
さらに、利用者が３人以上の場合に、１つのクロス組合せ画像において複数の利用者の画像を組み合わせるようにしてもよい。例えば、３人の利用者Ａ乃至Ｃを複数回撮影し、１つのクロス組合せ画像において、利用者Ａと利用者Ｂの全身画像やアップ画像を組み合わせ、もう１つのクロス組合せ画像において、利用者Ｃの全身画像やアップ画像を組み合わせるようにしてもよい。この場合、図３７や図４０のライブビュー表示画面において、クロス組合せ画像と同じ組み合わせで各利用者をライブビュー表示領域に表示するようにしてもよいし、各利用者をそれぞれ異なるライブビュー表示領域に表示するようにしてもよい。例えば、先の利用者Ａ乃至Ｃの例では、前者の場合、利用者Ａと利用者Ｂが同じライブビュー表示領域に表示され、利用者Ｃがそれとは異なるライブビュー表示領域に表示され、後者の場合、利用者Ａ乃至Ｃがそれぞれ異なるライブビュー表示領域に表示される。
【０３９７】
また、以上の説明では、クロス組合せ画像を携帯端末への送信専用の画像とする例を示したが、シール紙に印刷できるようにしてもよい。
【０３９８】
さらに、クロス組合せ画像に合成する前の各利用者の全身画像またはアップ画像を個別に携帯端末に送信したり、サーバにアップロードしたりすることができるようにしてもよい。これにより、利用者は、自分の好きなパターンで各画像を組み合わせることが可能になる。また、サーバにアップロードするようにした場合、利用者は、複数回ゲームを行ったとき、同じゲームで得られた画像だけでなく、異なるゲームで得られた画像も組み合わせることが可能になる。
【０３９９】
さらに、以上の説明では、クロス組合せ画像を編集対象外にしたが、クロス組合せ画像に対しても編集入力を行えるようにしてもよい。また、例えば、クロス組合せ画像内の各画像のレイアウトを利用者が変更できるようにしてもよい。例えば、図４１の例の場合、全身画像とアップ画像の左右の位置を入れ替えたり、アップ画像の上下の位置を移動させたりできるようにしてもよい。
【０４００】
［ペナルティ撮影に関する変形例］
以上の説明では、ペナルティ撮影が行われた場合に、異なる編集入力が可能な撮影画像（重複して編集することが可能な撮影画像）を上カメラ全身撮影画像に固定する例を示したが、利用者が選択できるようにしてもよい。この選択は、例えば、５枚目の撮影画像の撮影時または撮影後に、ボーナス画像の撮影が行われないことが確定したときに行うようにすることが考えられる。
【０４０１】
また、通常撮影とペナルティ撮影との撮影枚数の差を２枚以上に設定するようにしてもよい。この場合、例えば、異なる編集入力が可能な撮影画像の種類を増やすようにしてもよいし、或いは、同じ撮影画像に対して異なる編集入力ができる数を増やすようにしてもよい。例えば、通常撮影の撮影枚数を６枚とし、ペナルティ撮影の撮影枚数を４枚とした場合、前者の場合、例えば、下カメラアップ撮影画像、上カメラアップ撮影画像、および、上カメラ全身撮影画像のうちの２種類について、それぞれ２枚ずつ編集して、印刷するようにすることが可能である。一方、後者の場合、例えば、同じ撮影画像を３枚分編集して、印刷するようにすることが可能である。
【０４０２】
さらに、例えば、ペナルティ撮影時に重複して編集することをやめて、通常撮影時とペナルティ撮影時で、それぞれの撮影枚数に応じて適切なレイアウトの分割パターンを使い分けるようにしてもよい。
【０４０３】
また、ペナルティ撮影が行われ、同じ撮影画像に対して複数の異なる編集入力を行う場合、その一部を印刷用の画像として編集し、シール紙に印刷し、残りを携帯端末への送信用の画像として編集し、携帯端末に送信するようにしてもよい。
【０４０４】
［その他の変形例］
以上の説明では、複数の撮影画像から、各利用者の画像を抽出し、同じ利用者の画像のみを組み合わせて複数の合成画像（クロス組合せ画像）を生成し、利用者に提供する例を示したが、例えば、１枚の撮影画像から各利用者の画像を抽出し、抽出した画像と所定の合成用画像を組み合わせた複数の合成画像を生成し、利用者に提供するようにすることも可能である。
【０４０５】
例えば、撮影時には、図５４に示されるように、タッチパネルモニタ９３の中央にライブビュー表示画面１００１を表示するとともに、左右に所定の合成用画像１００２Ｌおよび合成用画像１００２Ｒを表示する。そして、最終的に、中央のライブビュー表示画面１００１に対応する撮影画像から利用者１００３Ｌおよび利用者１００３Ｒの画像を抽出し、図５５に示されるように、利用者１００３Ｌの画像と合成用画像１００２Ｌを組み合わせた画像１０１１Ｌと、利用者１００３Ｒの画像と合成用画像１００２Ｒを組み合わせた画像１０１１Ｒを利用者に提供するようにしてもよい。
【０４０６】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０４０７】
この記録媒体は、例えば、図１４に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０４０８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【符号の説明】
【０４０９】
１  写真シール作成装置
１１  撮影ユニット
１２  編集部
２１  撮影部
８１  撮影・表示ユニット
９１  カメラ
９２  カメラストロボ
９３  タッチパネルモニタ
１３１  タブレット内蔵モニタ
１３２Ａ，１３２Ｂ  タッチペン
２０１  制御部
２０８  撮影部
２０９  編集部
２１０  事後接客部
３０１  撮影処理部
３０２  編集処理部
３０３  印刷処理部
３０４  事後接客処理部
３１１  進行制御部
３１２  撮影パラメータ設定部
３１３  ライブビュー表示制御部
３１４  撮影画像取得部
３１５  照明制御部
３１６  カメラ駆動制御部
３１７  クロマキー処理部
３１８  コーナーポイント検知部
３１９  コーナー画像生成部
３２０  合成処理部
３２１  顔認識部
３５１  進行制御部
３５２  編集準備処理部
３５３  入力受付制御部
３５４  編集画面表示制御部
３５５  落書き編集処理部
【図１】
0005472365.tif 000002
【図２】
0005472365.tif 000003
【図３】
0005472365.tif 000004
【図４】
0005472365.tif 000005
【図５】
0005472365.tif 000006
【図６】
0005472365.tif 000007
【図７】
0005472365.tif 000008
【図８】
0005472365.tif 000009
【図９】
0005472365.tif 000010
【図１０】
0005472365.tif 000011
【図１１】
0005472365.tif 000012
【図１２】
0005472365.tif 000013
【図１３】
0005472365.tif 000014
【図１４】
0005472365.tif 000015
【図１５】
0005472365.tif 000016
【図１６】
0005472365.tif 000017
【図１７】
0005472365.tif 000018
【図１８】
0005472365.tif 000019
【図１９】
0005472365.tif 000020
【図２０】
0005472365.tif 000021
【図２１】
0005472365.tif 000022
【図２２】
0005472365.tif 000023
【図２３】
0005472365.tif 000024
【図２４】
0005472365.tif 000025
【図２５】
0005472365.tif 000026
【図２６】
0005472365.tif 000027
【図２７】
0005472365.tif 000028
【図２８】
0005472365.tif 000029
【図２９】
0005472365.tif 000030
【図３０】
0005472365.tif 000031
【図３１】
0005472365.tif 000032
【図３２】
0005472365.tif 000033
【図３３】
0005472365.tif 000034
【図３４】
0005472365.tif 000035
【図３５】
0005472365.tif 000036
【図３６】
0005472365.tif 000037
【図３７】
0005472365.tif 000038
【図３８】
0005472365.tif 000039
【図３９】
0005472365.tif 000040
【図４０】
0005472365.tif 000041
【図４１】
0005472365.tif 000042
【図４２】
0005472365.tif 000043
【図４３】
0005472365.tif 000044
【図４４】
0005472365.tif 000045
【図４５】
0005472365.tif 000046
【図４６】
0005472365.tif 000047
【図４７】
0005472365.tif 000048
【図４８】
0005472365.tif 000049
【図４９】
0005472365.tif 000050
【図５０】
0005472365.tif 000051
【図５１】
0005472365.tif 000052
【図５２】
0005472365.tif 000053
【図５３】
0005472365.tif 000054
【図５４】
0005472365.tif 000055
【図５５】
0005472365.tif 000056